(57)【要約】進化型パケットシステムにおいて音声サービスを管理する方法および装置を開示する。進化型パケットシステム（Ｅｖｏｌｖｅｄ  Ｐａｃｋｅｔ  Ｓｙｓｔｅｍ／ＥＰＳ）における音声サービスに関係する第１の指標を伴うユーザ機器（ＵＥ）における方法例は、第２の指標を伴う非アクセス層（Ｎｏｎ  Ａｃｃｅｓｓ  Ｓｔｒａｔｕｍ／ＮＡＳ）プロトコル応答メッセージを受信するステップと、第１の指標または第２の指標のうちの少なくとも１つに応答して、音声サービスが現在提供されることが可能ではないという通知を送信するステップとを含む。
2012529247.tif 000002
【特許請求の範囲】
【請求項１】
進化型パケットシステム（Ｅｖｏｌｖｅｄ  Ｐａｃｋｅｔ  Ｓｙｓｔｅｍ／ＥＰＳ）における音声サービスに関係する第１の指標を伴うユーザ機器（ＵＥ）における方法であって、
第２の指標を伴う非アクセス層（Ｎｏｎ  Ａｃｃｅｓｓ  Ｓｔｒａｔｕｍ／ＮＡＳ）プロトコル応答メッセージを受信するステップと、
前記第１の指標または前記第２の指標のうちの少なくとも１つに応答して、音声サービスが現在提供されることが可能ではないという通知を送信するステップと
を含む、方法。
【請求項２】
前記ＮＡＳプロトコル応答メッセージは、ＮＡＳ登録応答メッセージである、請求項１に記載の方法。
【請求項３】
前記第１の指標または前記第２の指標の一方または両方は、音声サービス指標（ＶＳＩ）である、請求項１に記載の方法。
【請求項４】
前記ＶＳＩは、
ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）指示、
ＩＭＳボイスオーバーＰＳセッション非対応（ＩＭＳ  Ｖｏｉｃｅ  ｏｖｅｒ  ＰＳ  ｓｅｓｓｉｏｎ  ｎｏｔ  ｓｕｐｐｏｒｔｅｄ）指示、
音声中心（Ｖｏｉｃｅ  Ｃｅｎｔｒｉｃ）、
データ中心（Ｄａｔａ  Ｃｅｎｔｒｉｃ）、
ＣＳ音声のみ（ＣＳ  Ｖｏｉｃｅ  Ｏｎｌｙ）、
ＩＭＳ  ＰＳ音声のみ（ＩＭＳ  ＰＳ  Ｖｏｉｃｅ  Ｏｎｌｙ）、
ＣＳ音声優先、ＩＭＳ音声二次的（ＣＳ  Ｖｏｉｃｅ  Ｐｒｅｆｅｒｒｅｄ，  ＩＭＳ  Ｖｏｉｃｅ  Ｓｅｃｏｎｄａｒｙ）、または
ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）
のうちの少なくとも１つに設定される、請求項３に記載の方法。
【請求項５】
前記ＶＳＩは、
ボイスオーバーＩＰマルチメディアサブシステム（Ｖｏｉｃｅ  ｏｖｅｒ  ＩＰ  Ｍｕｌｔｉｍｅｄｉａ  Ｓｕｂｓｙｓｔｅｍ／ＩＭＳ  ＶｏＰＳ）指標と、
ＵＥ使用設定と、
ＵＥ音声設定と
のうちの１つ以上である、請求項３に記載の方法。
【請求項６】
前記第２の指標は、原因値または失敗指示のうちの少なくとも１つである、請求項１に記載の方法。
【請求項７】
前記原因値または前記失敗指示のうちの少なくとも１つは、
回路交換（ＣＳ）またはパケット交換（ＰＳ）サービスに対してＵＥを登録できなかったこと、または
ＣＳドメインが利用可能ではないこと
のうちの少なくとも１つに設定される、請求項６に記載の方法。
【請求項８】
前記通知を送信するステップは、前記ＵＥによって行われ、前記通知は、ユーザまたは上層のうちの少なくとも１つに送信される、請求項１に記載の方法。
【請求項９】
前記ＮＡＳ登録応答メッセージは、
ＥＰＳアタッチ手順への応答、
追跡領域更新（Ｔｒａｃｋｉｎｇ  Ａｒｅａ  Ｕｐｄａｔｅ）応答、
ルーティング領域更新（Ｒｏｕｔｉｎｇ  Ａｒｅａ  Ｕｐｄａｔｅ）応答、
アタッチ（ＡＴＴＡＣＨ）受理メッセージ、
サービス拒絶（ＳＥＲＶＩＣＥ  ＲＥＪＥＣＴ）メッセージ、
ルーティング領域更新受理（ＲＯＵＴＩＮＧ  ＡＲＥＡ  ＵＰＤＡＴＥ  ＡＣＣＥＰＴ）メッセージ、または
追跡領域更新受理（ＴＲＡＣＫＩＮＧ  ＡＲＥＡ  ＵＰＤＡＴＥ  ＡＣＣＥＰＴ）メッセージ
のうちの少なくとも１つである、請求項１に記載の方法。
【請求項１０】
前記通知を送信するステップは、前記第１の指標および前記第２の指標の両方に応答する、請求項１に記載の方法。
【請求項１１】
進化型パケットシステム（Ｅｖｏｌｖｅｄ  Ｐａｃｋｅｔ  Ｓｙｓｔｅｍ／ＥＰＳ）における音声サービスに関係する第１の指標を伴うユーザ機器（ＵＥ）における方法であって、
第２の指標を伴う非アクセス層（Ｎｏｎ  Ａｃｃｅｓｓ  Ｓｔｒａｔｕｍ／ＮＡＳ）プロトコル応答メッセージを受信するステップと、
前記第１の指標または前記第２の指標のうちの少なくとも１つに応答して、音声サービスが現在提供されることが可能ではないという通知を送信するステップであって、前記音声サービスが現在提供されることが可能ではないという前記通知は、ＣＳドメインが利用可能ではないという通知を含む、ステップと
を含む、方法。
【請求項１２】
前記ＮＡＳプロトコル応答メッセージは、ＮＡＳ登録応答メッセージである、請求項１１に記載の方法。
【請求項１３】
前記第１の指標または前記第２の指標の一方または両方は、音声サービス指標（ＶＳＩ）である、請求項１１に記載の方法。
【請求項１４】
前記ＶＳＩは、
ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）指示、
ＩＭＳボイスオーバーＰＳセッション非対応（ＩＭＳ  Ｖｏｉｃｅ  ｏｖｅｒ  ＰＳ  ｓｅｓｓｉｏｎ  ｎｏｔ  ｓｕｐｐｏｒｔｅｄ）指示、
音声中心（Ｖｏｉｃｅ  Ｃｅｎｔｒｉｃ）、
データ中心（Ｄａｔａ  Ｃｅｎｔｒｉｃ）、
ＣＳ音声のみ（ＣＳ  Ｖｏｉｃｅ  Ｏｎｌｙ）、
ＩＭＳ  ＰＳ音声のみ（ＩＭＳ  ＰＳ  Ｖｏｉｃｅ  Ｏｎｌｙ）、
ＣＳ音声優先、ＩＭＳ音声二次的（ＣＳ  Ｖｏｉｃｅ  Ｐｒｅｆｅｒｒｅｄ，  ＩＭＳ  Ｖｏｉｃｅ  Ｓｅｃｏｎｄａｒｙ）、または
ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）
のうちの少なくとも１つに設定される、請求項１３に記載の方法。
【請求項１５】
前記ＶＳＩは、
ボイスオーバーＩＰマルチメディアサブシステム（Ｖｏｉｃｅ  ｏｖｅｒ  ＩＰ  Ｍｕｌｔｉｍｅｄｉａ  Ｓｕｂｓｙｓｔｅｍ／ＩＭＳ  ＶｏＰＳ）指標と、
ＵＥ使用設定と、
ＵＥ音声設定と
のうちの１つ以上である、請求項１３に記載の方法。
【請求項１６】
前記第２の指標は、原因値または失敗指示のうちの少なくとも１つである、請求項１１に記載の方法。
【請求項１７】
前記原因値または前記失敗指示のうちの少なくとも１つは、
回路交換（ＣＳ）またはパケット交換（ＰＳ）サービスに対してＵＥを登録できなかったこと、または
ＣＳドメインが利用可能ではないこと
のうちの少なくとも１つに設定される、請求項１６に記載の方法。
【請求項１８】
前記通知を送信するステップは、前記ＵＥによって行われ、前記通知は、ユーザまたは上層のうちの少なくとも１つに送信される、請求項１１に記載の方法。
【請求項１９】
前記ＮＡＳ登録応答メッセージは、
ＥＰＳアタッチ手順への応答、
追跡領域更新（Ｔｒａｃｋｉｎｇ  Ａｒｅａ  Ｕｐｄａｔｅ）応答、
ルーティング領域更新（Ｒｏｕｔｉｎｇ  Ａｒｅａ  Ｕｐｄａｔｅ）応答、
アタッチ（ＡＴＴＡＣＨ）受理メッセージ、
サービス拒絶（ＳＥＲＶＩＣＥ  ＲＥＪＥＣＴ）メッセージ、
ルーティング領域更新受理（ＲＯＵＴＩＮＧ  ＡＲＥＡ  ＵＰＤＡＴＥ  ＡＣＣＥＰＴ）メッセージ、または
追跡領域更新受理（ＴＲＡＣＫＩＮＧ  ＡＲＥＡ  ＵＰＤＡＴＥ  ＡＣＣＥＰＴ）メッセージ、
のうちの少なくとも１つである、請求項１１に記載の方法。
【請求項２０】
前記通知を送信するステップは、前記第１の指標および前記第２の指標の両方に応答する、請求項１１に記載の方法。
【請求項２１】
進化型パケットシステム（Ｅｖｏｌｖｅｄ  Ｐａｃｋｅｔ  Ｓｙｓｔｅｍ／ＥＰＳ）における音声サービスに関係する第１の指標を伴うユーザ機器（ＵＥ）における方法であって、
第２の指標を伴う非アクセス層（Ｎｏｎ  Ａｃｃｅｓｓ  Ｓｔｒａｔｕｍ／ＮＡＳ）プロトコル応答メッセージを受信するステップと、
前記第１の指標または前記第２の指標のうちの少なくとも１つに応答して、音声サービスが現在提供されることが可能ではないという通知を送信するステップと
を含む、方法。
【請求項２２】
前記ＮＡＳプロトコル応答メッセージは、ＮＡＳ登録応答メッセージである、請求項２１に記載の方法。
【請求項２３】
前記第１の指標または前記第２の指標の一方または両方は、音声サービス指標（ＶＳＩ）である、請求項２１に記載の方法。
【請求項２４】
前記ＶＳＩは、
ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）指示、
ＩＭＳボイスオーバーＰＳセッション非対応（ＩＭＳ  Ｖｏｉｃｅ  ｏｖｅｒ  ＰＳ  ｓｅｓｓｉｏｎ  ｎｏｔ  ｓｕｐｐｏｒｔｅｄ）指示、
音声中心（Ｖｏｉｃｅ  Ｃｅｎｔｒｉｃ）、
データ中心（Ｄａｔａ  Ｃｅｎｔｒｉｃ）、
ＣＳ音声のみ（ＣＳ  Ｖｏｉｃｅ  Ｏｎｌｙ）、
ＩＭＳ  ＰＳ音声のみ（ＩＭＳ  ＰＳ  Ｖｏｉｃｅ  Ｏｎｌｙ）、
ＣＳ音声優先、ＩＭＳ音声二次的（ＣＳ  Ｖｏｉｃｅ  Ｐｒｅｆｅｒｒｅｄ，  ＩＭＳ  Ｖｏｉｃｅ  Ｓｅｃｏｎｄａｒｙ）、または
ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）
のうちの少なくとも１つに設定される、請求項２３に記載の方法。
【請求項２５】
前記ＶＳＩは、
ボイスオーバーＩＰマルチメディアサブシステム（Ｖｏｉｃｅ  ｏｖｅｒ  ＩＰ  Ｍｕｌｔｉｍｅｄｉａ  Ｓｕｂｓｙｓｔｅｍ／ＩＭＳ  ＶｏＰＳ）指標と、
ＵＥ使用設定と、
ＵＥ音声設定と
のうちの１つ以上である、請求項２３に記載の方法。
【請求項２６】
前記第２の指標は、原因値または失敗指示のうちの少なくとも１つである、請求項２１に記載の方法。
【請求項２７】
前記原因値または前記失敗指示のうちの少なくとも１つは、
回路交換（ＣＳ）またはパケット交換（ＰＳ）サービスに対してＵＥを登録できなかったこと、または
ＣＳドメインが利用可能ではないこと
のうちの少なくとも１つに設定される、請求項２６に記載の方法。
【請求項２８】
前記通知を送信するステップは、前記ＵＥによって行われ、前記通知は、ユーザまたは上層のうちの少なくとも１つに送信される、請求項２１に記載の方法。
【請求項２９】
前記ＮＡＳ登録応答メッセージは、
ＥＰＳアタッチ手順への応答、
追跡領域更新（Ｔｒａｃｋｉｎｇ  Ａｒｅａ  Ｕｐｄａｔｅ）応答、
ルーティング領域更新（Ｒｏｕｔｉｎｇ  Ａｒｅａ  Ｕｐｄａｔｅ）応答、
アタッチ（ＡＴＴＡＣＨ）受理メッセージ、
サービス拒絶（ＳＥＲＶＩＣＥ  ＲＥＪＥＣＴ）メッセージ、
ルーティング領域更新受理（ＲＯＵＴＩＮＧ  ＡＲＥＡ  ＵＰＤＡＴＥ  ＡＣＣＥＰＴ）メッセージ、または
追跡領域更新受理（ＴＲＡＣＫＩＮＧ  ＡＲＥＡ  ＵＰＤＡＴＥ  ＡＣＣＥＰＴ）メッセージ、
のうちの少なくとも１つである、請求項２１に記載の方法。
【請求項３０】
前記通知を送信するステップは、前記第１の指標および前記第２の指標の両方に応答する、請求項２１に記載の方法。
【発明の詳細な説明】
【技術分野】
【０００１】
（関連出願）
本願は、米国仮出願第６１／１８３，９３３号（２００９年６月３日出願、名称「Ｖｏｉｃｅ  Ｓｅｒｖｉｃｅ  ｉｎ  Ｅｖｏｌｖｅｄ  Ｐａｃｋｅｔ  Ｓｙｓｔｅｍ  Ｕｓｉｎｇ  ＩＰ  Ｍｕｌｔｉｍｅｄｉａ  Ｓｕｂｓｙｓｔｅｍ」）の非仮出願である。該仮出願は、その全体が参照により本明細書に援用される。
【０００２】
（開示の分野）
本願は、概して、移動通信システムに関し、より具体的には、進化型パケットシステム（Ｅｖｏｌｖｅｄ  Ｐａｃｋｅｔ  Ｓｙｓｔｅｍ）における音声サービスの提供に関する。
【背景技術】
【０００３】
近年、ネットワークサービスの可用性とモバイルデバイスの能力とを調整するために、進化型パケットシステム（ＥＰＳ）移動通信システムにおいて、音声サービス指標が定義されている。音声サービス指標は、例えば、
「ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）」指示、
「音声中心（Ｖｏｉｃｅ  Ｃｅｎｔｒｉｃ）」または「データ中心（Ｄａｔａ  Ｃｅｎｔｒｉｃ）」指示、および
「ＣＳ音声のみ（ＣＳ  Ｖｏｉｃｅ  ｏｎｌｙ）」、「ＩＭＳ  ＰＳ音声のみ（ＩＭＳ  ＰＳ  ｖｏｉｃｅ  ｏｎｌｙ）」、「ＣＳ音声優先、ＩＭＳ音声二次的（ＣＳ  ｖｏｉｃｅ  ｐｒｅｆｅｒｒｅｄ，  ＩＭＳ  ｖｏｉｃｅ  Ｓｅｃｏｎｄａｒｙ）」、または「ＩＭＳ音声優先、ＣＳ音声二次的（ＩＭＳ  Ｖｏｉｃｅ  ｐｒｅｆｅｒｒｅｄ，  ＣＳ  ｖｏｉｃｅ  ｓｅｃｏｎｄａｒｙ）」指示
を含む。
【０００４】
「ＩＭＳボイスオーバーＰＳセッション対応（ＩＭＳ  Ｖｏｉｃｅ  ｏｖｅｒ  ＰＳ  ｓｅｓｓｉｏｎ  Ｓｕｐｐｏｒｔｅｄ）」指示は、ユーザ機器（ＵＥ）に対してネットワークによって提供される（非アクセス層（ＮＡＳ）登録（例えば、ＥＰＳアタッチ）またはＮＡＳ登録更新で与えられる）。「音声中心（Ｖｏｉｃｅ  Ｃｅｎｔｒｉｃ）」または「データ中心（Ｄａｔａ  Ｃｅｎｔｒｉｃ）」指示、および、「ＣＳ音声のみ（ＣＳ  Ｖｏｉｃｅ  Ｏｎｌｙ）」、「ＩＭＳ  ＰＳ音声のみ（ＩＭＳ  ＰＳ  ｖｏｉｃｅ  ｏｎｌｙ）」、「ＣＳ音声優先、ＩＭＳ音声二次的（ＣＳ  ｃｏｉｃｅ  ｐｒｅｆｅｒｒｅｄ，  ＩＭＳ  ｃｏｉｃｅ  Ｓｅｃｏｎｄａｒｙ）」、または「ＩＭＳ音声優先、ＣＳ音声二次的（ＩＭＳ  Ｖｏｉｃｅ  ｐｒｅｆｅｒｒｅｄ，  ＣＳ  ｖｏｉｃｅ  ｓｅｃｏｎｄａｒｙ）」指示は、ＵＥ上で利用可能である。操作者は、「ＣＳ音声のみ（ＣＳ  Ｖｏｉｃｅ  Ｏｎｌｙ）」、「ＩＭＳ  ＰＳ音声のみ（ＩＭＳ  ＰＳ  ｖｏｉｃｅ  ｏｎｌｙ）」、「ＣＳ音声優先、ＩＭＳ音声二次的（ＣＳ  ｖｏｉｃｅ  ｐｒｅｆｅｒｒｅｄ，  ＩＭＳ  ｖｏｉｃｅ  Ｓｅｃｏｎｄａｒｙ）」、または「ＩＭＳ音声優先、ＣＳ音声二次的（ＩＭＳ  Ｖｏｉｃｅ  ｐｒｅｆｅｒｒｅｄ，  ＣＳ  ｖｏｉｃｅ  ｓｅｃｏｎｄａｒｙ）」指示をＵＥ上で構成することができる。
【発明の概要】
【課題を解決するための手段】
【０００５】
（略称および用語）
ＡＳ：          アクセス層（Ａｃｃｅｓｓ  Ｓｔｒａｔｕｍ）
ＣＮ：          コアネットワーク（Ｃｏｒｅ  Ｎｅｔｗｏｒｋ）
ＣＳ：          回路交換（Ｃｉｒｃｕｉｔ  Ｓｗｉｔｃｈｅｄ）
ＣＳＦＢ：      ＣＳフォールバック（ＣＳ  Ｆａｌｌｂａｃｋ）
ＥＭＭ：        進化型パケットシステム移動性管理（Ｅｖｏｌｖｅｄ  Ｐａｃｋｅｔ  
Ｓｙｓｔｅｍ  （ＥＰＳ）  Ｍｏｂｉｌｉｔｙ  Ｍａｎａｇｅｍｅｎｔ）
ｅＮＢ：        ｅノードＢ（ｅＮｏｄｅＢ）
ＥＰＣ：        進化型パケットコア（Ｅｖｏｌｖｅｄ  Ｐａｃｋｅｔ  Ｃｏｒｅ）
ＥＰＳ：        進化型パケットシステム（Ｅｖｏｌｖｅｄ  Ｐａｃｋｅｔ  Ｓｙｓｔｅ
ｍ）
Ｅ−ＵＴＲＡＮ：進化型ＵＴＲＡＮ（Ｅｖｏｌｖｅｄ  ＵＴＲＡＮ）
ＩＭＳ：        ＩＰマルチメディアサブシステム（ＩＰ  Ｍｕｌｔｉｍｅｄｉａ  Ｓｕ
ｂｓｙｓｔｅｍ）
ＩＭ  ＣＮ：    ＩＰマルチメディアコアネットワーク（ＩＰ  Ｍｕｌｔｉｍｅｄｉａ  
Ｃｏｒｅ  Ｎｅｔｗｏｒｋ）
ＭＡＣ：        媒体アクセス制御（Ｍｅｄｉｕｍ  Ａｃｃｅｓｓ  Ｃｏｎｔｒｏｌ）
ＭＳ：          移動局（Ｍｏｂｉｌｅ  Ｓｔａｔｉｏｎ）
ＮＡＳ：        非アクセス層（Ｎｏｎ  Ａｃｃｅｓｓ  Ｓｔｒａｔｕｍ）
ＮＷ：          ネットワーク（Ｎｅｔｗｏｒｋ）
ＰＳ：          パケット交換（Ｐａｃｋｅｔ  Ｓｗｉｔｃｈｅｄ）
ＲＡ：          ルーティング領域（Ｒｏｕｔｉｎｇ  Ａｒｅａ）
ＰＤＣＰ：      パケットデータ収束プロトコル（Ｐａｃｋｅｔ  Ｄａｔａ  Ｃｏｎｖｅ
ｒｇｅｎｃｅ  Ｐｒｏｔｏｃｏｌ）
ＲＡＮ：        無線アクセスネットワーク（Ｒａｄｉｏ  Ａｃｃｅｓｓ  Ｎｅｔｗｏｒ
ｋ）
ＲＡＵ：        ルーティング領域更新（Ｒｏｕｔｉｎｇ  Ａｒｅａ  Ｕｐｄａｔｅ）
ＲＢ：          無線ベアラ（Ｒａｄｉｏ  Ｂｅａｒｅｒ）
ＲＬＣ：        無線リンク制御（Ｒａｄｉｏ  Ｌｉｎｋ  Ｃｏｎｔｒｏｌ）
ＲＲＣ：        無線リソース制御（Ｒａｄｉｏ  Ｒｅｓｏｕｒｃｅ  Ｃｏｎｔｒｏｌ）
ＴＡ：          追跡領域（Ｔｒａｃｋｉｎｇ  Ａｒｅａ）
ＴＡＩ：        ＴＡ識別（ＴＡ  Ｉｄｅｎｔｉｔｙ）
ＴＡＵ：        追跡領域更新（Ｔｒａｃｋｉｎｇ  Ａｒｅａ  Ｕｐｄａｔｅ）
ＴＳ：          技術仕様（Ｔｅｃｈｎｉｃａｌ  Ｓｐｅｃｉｆｉｃａｔｉｏｎ）
ＵＥ：          ユーザ機器
ＵＭＴＳ：      ユニバーサルモバイルモバイルテレコミュニケーションシステム（Ｕｎ
ｉｖｅｒｓａｌ  Ｍｏｂｉｌｅ  Ｔｅｌｅｃｏｍｍｕｎｉｃａｔｉｏｎ
ｓ  Ｓｙｓｔｅｍ）
ＵＴＲＡＮ：    ＵＭＴＳ地上ＲＡＮ（ＵＭＴＳ  Ｔｅｒｒｅｓｔｒｉａｌ  ＲＡＮ）
ＶｏＩＭＳ：    ボイスオーバーＩＭＳ（Ｖｏｉｃｅ  ｏｖｅｒ  ＩＭＳ）
本明細書で説明される実装例では、音声サービス指標は、ネットワーク提供されたＶｏＩＭＳ指標、ＵＥ使用設定、およびユーザ機器音声設定であり得る。以下の説明では、音声サービス指標は、以下のように呼ばれる。
ａ）（ネットワーク提供された）（ＩＭＳ）ＶｏＩＭＳ指標は、
上記で参照された「ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）」指示または上記で参照された「ＩＭＳボイスオーバーＰＳセッション非対応（ＩＭＳ  Ｖｏｉｃｅ  ｏｖｅｒ  ＰＳ  ｓｅｓｓｉｏｎ  ｎｏｔ  ｓｕｐｐｏｒｔｅｄ）」指示を示し、ＩＰマルチメディアサブシステムによって制御および管理されるボイスオーバーＰＳセッションがサポートされているか否かを示す。
ｂ）ＵＥの使用設定は、
上記で参照された「音声中心（Ｖｏｉｃｅ  Ｃｅｎｔｒｉｃ）」または「データ中心（Ｄａｔａ  Ｃｅｎｔｒｉｃ）」を示す。ＵＥの使用設定は、ＵＥ使用設定は、ＵＥが、データサービスに対する音声サービスの選好またはその逆を有するかどうかを示す、ＵＥ設定である。ＵＥが音声サービスの選好を有する場合には、ＵＥの使用設定は「音声中心（Ｖｏｉｃｅ  Ｃｅｎｔｒｉｃ）」である。ＵＥがデータサービスの選好を有する場合には、ＵＥの使用設定は、「データ中心（Ｄａｔａ  Ｃｅｎｔｒｉｃ）」である。疑念を回避するために、「データ中心（Ｄａｔａ  Ｃｅｎｔｒｉｃ）」であるＵＥは、音声サービスを依然として必要とし得る。ＵＥがデータサービスのみを必要とし、音声サービスがないことを容認できる場合、ＵＥの使用設定は「データのみ（Ｄａｔａ  Ｏｎｌｙ）」である。２つの設定は、以下の意味を有し得る。
−「音声中心（Ｖｏｉｃｅ  Ｃｅｎｔｒｉｃ）」：音声中心ＵＥは、音声サービスを使用できなければならず、したがって、どのようにしてそのようなサービスを使用可能に設定できるかとは無関係に、音声サービスを取得しようとする。
−「データ中心（Ｄａｔａ  Ｃｅｎｔｒｉｃ）」：データ中心ＵＥは、たとえこれが音声サービスへのアクセスが可能ではないことを示唆しても、可能な限り最善のＰＳサービスを有することを好む。
【０００６】
「データのみ（Ｄａｔａ  Ｏｎｌｙ）」というさらなるＵＥの使用設定が可能である。この追加の設定が可能である場合において、３つの設定は、以下のような意味を有し得る。
−「音声中心（Ｖｏｉｃｅ  Ｃｅｎｔｒｉｃ）」：音声中心ＵＥは、音声サービスを使用できなければならず、したがって、どのようにしてそのようなサービスを使用可能に設定できるかとは無関係に、音声サービスを取得しようとする。
−「データ中心（Ｄａｔａ  Ｃｅｎｔｒｉｃ）」：データ中心ＵＥは、音声サービスへのアクセスが除外されないならば、可能な限り最善のＰＳサービスを有することを好む（すなわち、Ｅ−ＵＴＲＡＮにとどまることを好む）。
−「データのみ（Ｄａｔａ  Ｏｎｌｙ）」：データ中心ＵＥは、たとえこれが音声サービスへのアクセスが可能ではないことを示唆しても、可能な限り最善のＰＳサービスを有することを好む。
ｃ）ＵＥの音声設定は、
上記で参照された「ＣＳ音声のみ（ＣＳ  Ｖｏｉｃｅ  Ｏｎｌｙ）」、「ＰＳ音声のみ（ＰＳ  Ｖｏｉｃｅ  Ｏｎｌｙ）」、「ＩＭＳ  ＰＳ音声のみ（ＩＭＳ  ＰＳ  Ｖｏｉｃｅ  Ｏｎｌｙ）」、「ＣＳ音声優先、ＩＭＳ音声二次的（ＣＳ  Ｖｏｉｃｅ  Ｐｒｅｆｅｒｒｅｄ，  ＩＭＳ  Ｖｏｉｃｅ  Ｓｅｃｏｎｄａｒｙ）」、または「ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」指示を示す。ＵＥ音声設定は、音声サービスに使用するドメインを示すＵＥ設定である。
【０００７】
表１は、このグループ化および命名規則を要約する。
【０００８】
【化１】
2012529247.tif 000003
【０００９】
【化２】
2012529247.tif 000004
実装例では、ネットワークメッセージは、ＶｏＩＭＳ指標を含み得る。例えば、３ＧＰＰ  ＴＳ  ２４．３０１に従ったアタッチ受理（ＡＴＴＡＣＨ  ＡＣＣＥＰＴ）メッセージが、表２で示されるように実装され得、および／または表３に示された３ＧＰＰ  ＴＳ  ２４．００８に従ったＩｕモードで実装され得る。ＶｏＩＭＳ指標は、音声のサポートを示すために、ＩＭＳ用のセッションを介してネットワークによってＵＥに送信され得る。
【００１０】
【化３】
2012529247.tif 000005
【００１１】
【化４】
2012529247.tif 000006
本明細書で説明されるように、ＵＥは、複数のプロトコル層を有する。本明細書で説明されるＵＥ例は、３つの層（ＩＭＳ層、ＮＡＳ層、およびＡＳ層）を含む。順序付け例は、以下の通りである。ＩＭＳがＮＡＳおよびＡＳ層より上側にあり、ＡＳ層はＮＡＳおよびＩＭＳ層に対する下層である。したがって、ＮＡＳ層および／またはＡＳ層は、ＩＭＳ層の視点から「下層」と呼ばれ得る。ＩＭＳ層は、上層と呼ばれ得る。
【００１２】
いくつかの実装例では、例えば、Ｉｕモードでのアタッチ手順の完了後、ＶｏＩＭＳ指標がアタッチ受理（ＡＴＴＡＣＨ  ＡＣＣＥＰＴ）メッセージにおいて利用可能であり、「ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）」を示す場合、例えば、ＩＰマルチメディアサブシステムへのＳＩＰ登録の開始のために、アタッチ手順の完了の成功が上層に示される。いくつかのさらなる実装例では、アタッチ手順の成功完了は、例えば、「ＰＳ音声のみ（ＰＳ  Ｖｏｉｃｅ  Ｏｎｌｙ）」または「ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」のうちの１つに設定されている、ＵＥの音声設定を受ける上層に示される。
【００１３】
別の実装例では、３ＧＰＰ  ＴＳ  ２４．３０１に従った追跡領域更新（ＴＲＡＣＫＩＮＧ  ＡＲＥＡ  ＵＰＤＡＴＥ）メッセージが、表４に示されるように実装され得る。
【００１４】
【化５】
2012529247.tif 000007
例えば、Ｉｕモードにおける、いくつかの実装例では、追跡領域更新手順の完了の成功ときに、追跡領域更新受理（ＴＲＡＣＫＩＮＧ  ＡＲＥＡ  ＵＰＤＡＴＥ  ＡＣＣＥＰＴ）メッセージの中で受信された場合のＶｏＩＭＳ指標は、上層に示されるであろう。
【００１５】
ルーティング領域更新受理（ＲＯＵＴＩＮＧ  ＡＲＥＡ  ＵＰＤＡＴＥ  ＡＣＣＥＰＴ）メッセージが、ＵＥからのルーティング領域更新要求（ＲＯＵＴＩＮＧ  ＡＲＥＡ  ＵＰＤＡＴＥ  ＲＥＱＵＥＳＴ）に応答して、ＧＰＲＳ移動性管理データをＵＥに提供するように、ネットワークによって送信され得る。ルーティング領域更新受理（ＲＯＵＴＩＮＧ  ＡＲＥＡ  ＵＰＤＡＴＥ  ＡＣＣＥＰＴ）メッセージは、例えば、３ＧＰＰ  ＴＳ  ２４．００に従って、ＵＥに受信または提供された場合、表５に示されるようなＶｏＩＭＳ指標を含み得る。
【００１６】
【化６】
2012529247.tif 000008
例えば、Ｉｕモードでは、ネットワークは、ＩＭＳのセッションを介した音声のサポートを示すように、ルーティング領域更新受理（ＲＯＵＴＩＮＧ  ＡＲＥＡ  ＵＰＤＡＴＥ  ＡＣＣＥＰＴ）メッセージ（または任意の他のメッセージ）にＶｏＩＭＳ指標を含み得る。
【００１７】
別の実施例では、ＭＳが状態ＧＭＭ−ＲＥＧＩＳＴＥＲＥＤおよびＭＭ−ＩＤＬＥである場合、およびネットワークがネットワーク動作モードＩで動作する場合、およびＩｕモードである場合、ＩＰマルチメディアサブシステムへのＳＩＰ登録が失敗し、例えば、「音声中心（Ｖｏｉｃｅ  Ｃｅｎｔｒｉｃ）」に設定されているＵＥの使用設定を受けるという上層からの指示をＵＥが受信するときに、複合ルーティング領域更新手順が、ＭＳ動作モードＡまたはＢで動作するＧＰＲＳ  ＭＳによって開始される。
【００１８】
いくつかの実装では、例えば、３ＧＰＰ  ＴＳ  ２４．００８に従ったアタッチ手順または登録手順の完了後、ＩＭ  ＣＮへのアクセスが開始され得る。例えば、アクセスは、３ＧＰＰ  ＴＳ  ２４．２２９、６．２  Ｂ．２．２．１項に従って開始され得る。例えば、ＩＭ  ＣＮへのアクセスは、ＵＥがＩＭ  ＣＮサブシステムにまだ登録されておらず、ＵＥの使用設定が「音声中心（Ｖｏｉｃｅ  Ｃｅｎｔｒｉｃ）」ではない場合に開始され得る。別の実施例では、ＩＭ  ＣＮへのアクセスは、ＵＥがＩＭ  ＣＮサブシステムにまだ登録されておらず、ＵＥの使用設定が「ＰＳ音声のみ（ＰＳ  Ｖｏｉｃｅ  Ｏｎｌｙ）」であるか、またはＵＥの使用設定がＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」である場合に開始され得る。さらに別の実施例では、ＩＭ  ＣＮサブシステム登録失敗の指示は、以下の条件下で下層に提供され得る。
ＩＭ  ＣＮサブシステムへの登録が失敗した場合、または、
ＩＭ  ＣＮサブシステムに登録するための繰り返しの試行が失敗した後、ＵＥが事前設定された数の再試行に達し、さらなる試行を終了する場合、または、
登録するための繰り返しの試行が失敗した後、ユーザがＩＭ  ＣＮサブシステムに登録するためのさらなる試行を中断する場合、
ユーザが開始した登録解除が行われる場合、または
ＵＥがネットワークによって明示的または暗示的に登録解除される場合。
【００１９】
いくつかの実装では、ＵＥは、特定のＲＡＴを選択するために、ＮＡＳ指示に基づく措置を行ない得る。いくつかの実装では、ＵＥが「能力更新要求」に対する情報要素を含み、「システム特有の能力更新要求リスト」に対する情報要素が含まれるメッセージを受信する場合には、「ＵＥシステム特有の能力」情報要素において要求されるＲＡＴのそれぞれについて、ＵＥが記載されたＲＡＴをサポートするならば、記載されたＲＡＴがＥ−ＵＴＲＡＮであり、ＮＡＳがＧＥＲＡＮまたはＵＴＲＡＮを選択するように指示をＡＳに提供していないか、または、記載されたＲＡＴがＥ−ＵＴＲＡＮではない場合に、ＵＥは、可変ＵＥ＿ＣＡＰＡＢＩＬＩＴＹ＿ＲＥＱＵＥＳＴＥＤからのＩＥ「ＵＥシステム特有の能力」に、記載されたＲＡＴに対するＲＡＴ間無線アクセス能力を含み得る。加えて、記載されたＲＡＴがＧＳＭ（登録商標）であり、ＧＰＲＳへのＰＳハンドオーバがサポートされる場合、可変ＵＥ＿ＣＡＰＡＢＩＬＩＴＹ＿ＲＥＱＵＥＳＴＥＤにＩＥ「ＭＳ無線アクセス能力（ＭＳ  Ｒａｄｉｏ  Ａｃｃｅｓｓ  Ｃａｐａｂｉｌｉｔｙ）」を含む。
【００２０】
いくつかのさらなる実装では、ＵＥは、特定のＲＡＴを選択するために、ＮＡＳ指示に基づく措置を行ない得る。いくつかの実装では、ＲＲＣ＿ＣＯＮＮＥＣＴＥＤ状態ではなくなる場合にセル選択を行う時、ＧＥＲＡＮまたはＵＴＲＡＮを選択するＮＡＳ指示の結果として、ＲＲＣ＿ＣＯＮＮＥＣＴＥＤからＲＲＣ＿ＩＤＬＥへの遷移ときに、ＵＥは、ＧＥＲＡＮおよびＵＴＲＡＮ  ＲＡＴ上でセル選択を行い、Ｅ−ＵＴＲＡＮセルへのセル選択および再選択を無効にし得る。同様に、ＵＥがＲＲＣ＿ＩＤＬＥである間に、ＮＡＳがＧＥＲＡＮまたはＵＴＲＡＮを選択するように指示をＡＳに提供する場合、ＵＥは、ＧＥＲＡＮおよびＵＴＲＡＮ  ＲＡＴ上でセル選択を行い、Ｅ−ＵＴＲＡセルへのセル選択および再選択を有効にするであろう。
【００２１】
いくつかのさらなる実装では、ＧＥＲＡＮまたはＵＴＲＡＮを選択するＮＡＳ指示の結果として、ＲＲＣ＿ＣＯＮＮＥＣＴＥＤからＲＲＣ＿ＩＤＬＥへの遷移ときに、ＲＲＣ＿ＣＯＮＮＥＣＴＥＤ状態ではなくなる場合にセル選択を行う時、ＵＥは、ＧＥＲＡＮおよびＵＴＲＡＮ  ＲＡＴ上でセル選択を行い、Ｅ−ＵＴＲＡＮセルへのセル選択および再選択を無効にするであろう。ＵＥがＲＲＣ＿ＩＤＬＥである間に、ＮＡＳがＧＥＲＡＮまたはＵＴＲＡＮを選択するように指示をＡＳに提供する場合、ＵＥは、ＧＥＲＡＮおよびＵＴＲＡＮ  ＲＡＴ上でセル選択を行い、Ｅ−ＵＴＲＡセルへのセル選択および再選択を無効にするであろう。
【００２２】
ＵＥがＲＲＣ＿ＣＯＮＮＥＣＴＥＤである間に、ＮＡＳがＧＥＲＡＮまたはＵＴＲＡＮを選択するように指示をＡＳに提供する場合、ＵＥは、「その他」という解放原因を用いて、ＲＲＣ＿ＣＯＮＮＥＣＴＥＤではなくなる場合に以下の措置を行ない得る。
ＭＡＣをリセットする。
Ｔ３２０を除き、作動している全てのタイマを停止する。
ＲＬＣエンティティ、ＭＡＣ構成、および全ての確立されたＲＢに対する関連ＰＤＣＰエンティティの解放を含んで、全ての無線リソースを解放する。
解放原因とともに、上層にＲＲＣアタッチの解放を示す、
ＲＲＣ＿ＣＯＮＮＥＣＴＥＤではなくなることが、ＭｏｂｉｌｉｔｙＦｒｏｍＥＵＴＲＡＣｏｍｍａｎｄメッセージの受信によって誘起されなかった場合、
例えば、３ＧＰＰ  ＴＳ  ３６．３０４で特定されている、ＲＲＣ＿ＣＯＮＮＥＣＴＥＤではなくなる場合に対して定義されるセル選択過程に従って、セル選択を行うことによってＲＲＣ＿ＩＤＬＥになる。
【図面の簡単な説明】
【００２３】
【図１Ａ】図１Ａは、Ｓ２−０９４１７８［ｉｉｉ］の図Ａ．２．１−１を示す。
【図１Ｂ】図１Ｂは、Ｓ２−０９４１７８［ｉｉｉ］の図Ａ．４−１を示す。
【図２Ａ】図２Ａ〜図１０Ｃは、実施例のフローチャートを示す。
【図２Ｂ】図２Ａ〜図１０Ｃは、実施例のフローチャートを示す。
【図３Ａ】図２Ａ〜図１０Ｃは、実施例のフローチャートを示す。
【図３Ｂ】図２Ａ〜図１０Ｃは、実施例のフローチャートを示す。
【図４Ａ】図２Ａ〜図１０Ｃは、実施例のフローチャートを示す。
【図４Ｂ】図２Ａ〜図１０Ｃは、実施例のフローチャートを示す。
【図５Ａ】図２Ａ〜図１０Ｃは、実施例のフローチャートを示す。
【図５Ｂ】図２Ａ〜図１０Ｃは、実施例のフローチャートを示す。
【図６Ａ】図２Ａ〜図１０Ｃは、実施例のフローチャートを示す。
【図６Ｂ】図２Ａ〜図１０Ｃは、実施例のフローチャートを示す。
【図７Ａ】図２Ａ〜図１０Ｃは、実施例のフローチャートを示す。
【図７Ｂ】図２Ａ〜図１０Ｃは、実施例のフローチャートを示す。
【図７Ｃ】図２Ａ〜図１０Ｃは、実施例のフローチャートを示す。
【図７Ｄ】図２Ａ〜図１０Ｃは、実施例のフローチャートを示す。
【図８Ａ】図２Ａ〜図１０Ｃは、実施例のフローチャートを示す。
【図８Ｂ】図２Ａ〜図１０Ｃは、実施例のフローチャートを示す。
【図９Ａ】図２Ａ〜図１０Ｃは、実施例のフローチャートを示す。
【図９Ｂ】図２Ａ〜図１０Ｃは、実施例のフローチャートを示す。
【図１０Ａ】図２Ａ〜図１０Ｃは、実施例のフローチャートを示す。
【図１０Ｂ】図２Ａ〜図１０Ｃは、実施例のフローチャートを示す。
【図１０Ｃ】図２Ａ〜図１０Ｃは、実施例のフローチャートを示す。
【図１１Ａ】図１１Ａ〜図１１Ｅは、実施例のフローチャートを示す。
【図１１Ｂ】図１１Ａ〜図１１Ｅは、実施例のフローチャートを示す。
【図１１Ｃ】図１１Ａ〜図１１Ｅは、実施例のフローチャートを示す。
【図１１Ｄ】図１１Ａ〜図１１Ｅは、実施例のフローチャートを示す。
【図１１Ｅ】図１１Ａ〜図１１Ｅは、実施例のフローチャートを示す。
【図１２】図１２は、移動通信デバイスのブロック図を示す。
【発明を実施するための形態】
【００２４】
図１Ａおよび１Ｂはそれぞれ、Ｓ２−０９４１７８［ｉｉｉ］の図Ａ．２．１−１および図Ａ．４−１を示し、２つの使用事例のシナリオを図示する。第１の使用事例は、ＵＥの音声設定が「ＩＭＳ音声優先、ＣＳ音声二次的（ＩＭＳ  ｖｏｉｃｅ  ｐｒｅｆｅｒｒｅｄ，  ＣＳ  ｖｏｉｃｅ  ｓｅｃｏｎｄａｒｙ）」に設定される時であり、第２の使用事例は、ＵＥの音声設定が「ＩＭＳ音声のみ（ＩＭＳ  ｖｏｉｃｅ  ｏｎｌｙ）」に設定される時である。これらの図は、ネットワークのＶｏＩＭＳ指標とＵＥの使用設定との異なる組み合わせに対する必要なＵＥ動作を示す。
【００２５】
第１に図１Ａを参照すると、「ＩＭＳ音声優先、ＣＳ音声二次的（ＩＭＳ  ｖｏｉｃｅ  ｐｒｅｆｅｒｒｅｄ，  ＣＳ  ｖｏｉｃｅ  ｓｅｃｏｎｄａｒｙ）」というＵＥの音声設定に対する挙動は、ＵＥの音声設定が、ＩＭＳ音声優先、ＣＳ音声二次的（ＩＭＳ  ｖｏｉｃｅ  ｐｒｅｆｅｒｒｅｄ，  ＣＳ  ｖｏｉｃｅ  ｓｅｃｏｎｄａｒｙ）に設定されることを単に示す、ブロック１Ａ−１から始まる。ブロック１Ａ−２では、ＵＥは、ＥＰＳアタッチ手順（非複合）を開始する。ブロック１Ａ−３では、ＵＥは、ＥＰＳアタッチ手順への応答の一部として受信される、ネットワークからのＩＭＳ音声対応指示をチェックする。ＩＭＳ音声がサポートされる場合には、ブロック１Ａ−４で、ＵＥがＩＭＳ音声を使用する。システムにアタッチされている間、ＵＥは、周期的に、またはＵＥが異なる追跡領域（Ｔｒａｃｋｉｎｇ  Ａｒｅａ／ＴＡ）に移動するときに、追跡領域更新（Ｔｒａｃｋｉｎｇ  Ａｒｅａ  Ｕｐｄａｔｅ／ＴＡＵ）を行ない得る。ＴＡＵを行う時、ＵＥは新しいＶｏＩＭＳ指標を受信し得、その場合、ＵＥ処理は、ＶｏＩＭＳ指標がチェックされるブロック１Ａ−３に戻る。ＩＭＳ音声がサポートされない場合には、ブロック１Ａ−５で、ＵＥが、ＴＳ  ２３．２７２にあるようなＣＳＦＢ用の複合ＴＡ／ＬＡ更新手順（複合ＴＡＵとも呼ばれる）を行う。成功した場合には、ブロック１Ａ−６で、ＵＥはＥ−ＵＴＲＡＮにとどまり、音声サービスを必要とするならばＣＳＦＢを使用する。追跡領域更新手順の完了が成功すると、追跡領域更新受理（ＴＲＡＣＫＩＮＧ  ＡＲＥＡ  ＵＰＤＡＴＥ  ＡＣＣＥＰＴ）メッセージにおいて受信されるＶｏＩＭＳ指標が、上層に示されるであろう。他方で、失敗した場合には、ブロック１Ａ−７で、ＵＥは「音声中心（Ｖｏｉｃｅ  ｃｅｎｔｒｉｃ）」または「データ中心（Ｄａｔａ  ｃｅｎｔｒｉｃ）」設定についてＵＥ使用設定をチェックする。設定がデータ中心である場合には、ブロック１Ａ−８で、ＵＥは現在のＲＡＴ（Ｅ−ＵＴＲＡＮ）にとどまる。他方で、設定が音声中心である場合には、ブロック１Ａ−９で、ＵＥは、音声サービスを取得し得る、別のＲＡＴを選択する。
【００２６】
複合アタッチ手順（Ｃｏｍｂｉｎｅｄ  Ａｔｔａｃｈ  Ｐｒｏｃｅｄｕｒｅ）または複合追跡領域更新（Ｃｏｍｂｉｎｅｄ  Ｔｒａｃｋｉｎｇ  Ａｒｅａ  Ｕｐｄａｔｅ）等の複合登録手順は、ＰＳサービスおよびＣＳサービスの両方に登録しようとするために使用される、単一のＮＡＳ登録手順を指し、音声サービスは、ＣＳフォールバック（ＣＳＦＢ）を用いてＣＳＥ−ＵＴＲＡＮ上で提供される。例えば、ＥＭＭ−ＲＥＧＩＳＴＥＲＥＤ状態において、ＣＳ／ＰＳモード１またはＣＳ／ＰＳモード２で動作するＵＥは、例えば、ＩＭＳへのＳＩＰ登録が失敗し、ＵＥの使用設定が「音声中心（Ｖｏｉｃｅ  Ｃｅｎｔｒｉｃ）」であるという指示をＵＥが上層から受信するときに、複合追跡領域更新手順を開始するであろう。複合アタッチ手順（Ｃｏｍｂｉｎｅｄ  Ａｔｔａｃｈ  Ｐｒｏｃｅｄｕｒｅ）または複合追跡領域更新（Ｃｏｍｂｉｎｅｄ  Ｔｒａｃｋｉｎｇ  Ａｒｅａ  Ｕｐｄａｔｅ）の実施例は、３ＧＰＰ  ＴＳ  ２４．３０１で見出すことができる。
【００２７】
複合登録手順の成功は、ＵＥがＰＳおよびＣＳサービスの両方に登録されていることを意味する。複合手順の失敗は、ＵＥがＰＳサービスには登録されているがＣＳサービスには登録されていないことを意味する。例えば、そのような失敗は、「ＣＳドメイン非利用可能」に設定された指示または原因値、またはＰＳドメインが利用可能ではないことを示す値とともに、追跡領域更新受理（Ｔｒａｃｋｉｎｇ  Ａｒｅａ  Ｕｐｄａｔｅ  Ａｃｃｅｐｔ）またはアタッチ受理（Ａｔｔａｃｈ  Ａｃｃｅｐｔ）メッセージを送信するネットワークによって、ＵＥに示され得る。加えて、ＵＥがＣＳまたはＰＳサービスに登録されていない失敗等の他の失敗があり得る。
【００２８】
ＮＡＳ登録手順またはＥＰＳアタッチ手順の結果として、手順を開始するＵＥがネットワークに登録される。このＮＡＳ登録の結果として、ＵＥおよびネットワークは、非アクセス層プロトコルの一部として（ＩＰ）メッセージの送受信を可能にする情報を取得する。ＵＥおよびネットワークは、これらの（ＩＰ）メッセージを送受信することができる。ＵＥおよびネットワークにおける取得された情報は、更新を必要とし得る。取得された情報は、（例えば、タイマの満了により）周期的に更新するか、または明示的に更新することができる。ＮＡＳ登録は、複合または非複合ＮＡＳ登録であり得、成功した複合ＮＡＳ登録は、ＵＥがＥＰＳサービスおよび非ＥＰＳサービスに対して登録されるようにする。
【００２９】
本明細書で使用される場合、ＥＰＳサービスは、３ＧＰＰ  ＴＳ  ２４．００８に従ったＧＰＲＳサービスであり得る。非ＥＰＳサービスは、ＣＳドメインによって提供されるサービスである。本明細書で使用される場合、非ＥＰＳサービスは、３ＧＰＰ  ＴＳ  ２４．００８に従った非ＧＰＲＳサービスであり得る。Ｅ−ＵＴＲＡＮ上にとどまるＵＥは、ＥＰＳサービスおよび非ＥＰＳサービスの両方にアタッチすることができる。非アクセス層（ＮＡＳ）プロトコルは、ＵＴＲＡＮにおいて終了されない、ＵＥと移動交換センター（ＭＳＣ）またはサービングＧＲＰＳサポートノード（ＳＧＳＮ）との間のプロトコルであり、およびＥ−ＵＴＲＡＮにおいて終了されない、ＵＥとＭＭＥとの間のプロトコルである。
【００３０】
一実装では、ＮＡＳ登録（例えば、複合ＮＡＳ登録）手順を開始するＵＥは、アタッチ要求（ＡＴＴＡＣＨ  ＲＥＱＵＥＳＴ）（例えば、複合アタッチ要求）メッセージ、または追跡領域更新要求（Ｔｒａｃｋｉｎｇ  Ａｒｅａ  Ｕｐｄａｔｅ  Ｒｅｑｕｅｓｔ）（例えば、複合追跡領域更新要求）メッセージのうちの少なくとも１つを送信することができる。メッセージを送信した後、ＵＥは、アタッチ要求（ＡＴＴＡＣＨ  ＲＥＱＵＥＳＴ）（例えば、複合アタッチ要求）メッセージ、または追跡領域更新要求（Ｔｒａｃｋｉｎｇ  Ａｒｅａ  Ｕｐｄａｔｅ  Ｒｅｑｕｅｓｔ）（例えば、複合追跡領域更新要求）メッセージのうちの少なくとも１つを受信することができる。
【００３１】
一実装では、ＮＡＳ登録（例えば、複合ＮＡＳ登録）情報を更新するＵＥは、ＵＥとＳＧＳＮとの間の非アクセス層プロトコルを使用する時のルーティング領域情報の更新、またはＵＥとＭＭＥとの間の非アクセス層プロトコルを使用する時の追跡領域情報の更新、またはＵＥとＭＳＣとの間の非アクセス層プロトコルを使用する時の情報の更新を含み得る。ＮＡＳ登録（例えば、複合ＮＡＳ登録）情報を更新するＵＥは、追跡領域更新（ＴＲＡＣＫＩＮＧ  ＡＲＥＡ  ＵＰＤＡＴＥ）（例えば、複合追跡領域更新）、ルーティング領域更新（ＲＯＵＴＩＮＧ  ＡＲＥＡ  ＵＰＤＡＴＥ）（例えば、複合ルーティング領域更新）のうちの少なくとも１つを送信することができる。メッセージを送信した後、ＵＥは、追跡領域更新（ＴＲＡＣＫＩＮＧ  ＡＲＥＡ  ＵＰＤＡＴＥ）（例えば、複合追跡領域更新）（受理／ＡＣＣＥＰＴ）応答、ルーティング領域更新（ＲＯＵＴＩＮＧ  ＡＲＥＡ  ＵＰＤＡＴＥ）（例えば、複合ルーティング領域更新）（受理／ＡＣＣＥＰＴ）応答のうちの少なくとも１つを受信することができる。ＮＡＳ登録（例えば、複合ＮＡＳ登録）情報の更新の成功後、ＵＥは、ＥＰＳサービスおよび非ＥＰＳサービスに登録される。
【００３２】
一実装では、ＮＡＳ登録手順を行った後、ＵＥは、ネットワークからサービスを要求することができる。次いで、ＵＥは、サービス要求（例えば、拡張サービス要求）メッセージをネットワークに送信する。例えば、ＣＳＦＢを行うために、ＵＥは、ＥＰＳサービスおよび非ＥＰＳサービスに登録され、ＵＥは、拡張サービス要求ＮＡＳプロトコルメッセージを送信する。ＵＥは、それに応答して、サービス拒絶（ＳＥＲＶＩＣＥ  ＲＥＪＥＣＴ）メッセージを受信し得る。
【００３３】
例えば、いくつかの実装では、ＵＥが、「ＣＳドメイン非利用可能」を示すＥＭＭ原因値＃１８とともにアタッチ受理（ＡＴＴＡＣＨ  ＡＣＣＥＰＴ）メッセージを受信した場合、ＵＥは、３ＧＰＰ  ＴＳ  ２４．３０１に従って、以下の措置を行ない得る。
ＵＥは、依然として作動していればタイマＴ３４１０を停止させ、追跡領域更新試行カウンタをリセットし、ＥＰＳ更新状態をＥＵ１  ＵＰＤＡＴＥＤに設定し、状態ＥＭＭ−ＲＥＧＩＳＴＥＲＥＤ．ＮＯＲＭＡＬ−ＳＥＲＶＩＣＥに入るであろう。
ＵＥは、更新状態をＵ２  ＮＯＴ  ＵＰＤＡＴＥＤに設定するであろう。
動作のＣＳ／ＰＳモード１であるＵＥは、選択されたＰＬＭＮまたは同等ＰＬＭＮに対して、Ｅ−ＵＴＲＡＮよりもむしろＧＥＲＡＮまたはＵＴＲＡＮ無線アクセス技術を選択し得る。
動作のＣＳ／ＰＳモード２であるＵＥは、ＵＥのスイッチを切るか、またはＵＳＩＭを含むＵＩＣＣが除去されるまで、現在のＰＬＭＮとの複合アタッチまたは複合追跡領域更新手順を試行しないであろう。
ＵＥの使用設定が「データ中心（Ｄａｔａ  Ｃｅｎｔｒｉｃ）」または「データのみ（Ｄａｔａ  Ｏｎｌｙ）」であるＵＥは、ＣＳドメインが利用可能ではないという通知をユーザまたは上層に提供する。
ＵＥの使用設定が「データ中心（Ｄａｔａ  Ｃｅｎｔｒｉｃ）」または「データのみ（Ｄａｔａ  Ｏｎｌｙ）」から「音声中心（Ｖｏｉｃｅ  Ｃｅｎｔｒｉｃ）」に変更された場合、選択されたＰＬＭＮまたは同等ＰＬＭＮに対して、Ｅ−ＵＴＲＡＮよりもむしろＧＥＲＡＮまたはＵＴＲＡＮ無線アクセス技術を選択するように、指示がＡＳに提供されるであろう。
【００３４】
いくつかの実装では、ＵＥがＲＲＣ＿ＩＤＬＥである間に、ＮＡＳがＧＥＲＡＮまたはＵＴＲＡＮを選択するように指示をＡＳに提供すると、ＵＥは、Ｅ−ＵＴＲＡＮセルへのセル選択および再選択を無効にし得る。ＵＥがＲＲＣ＿ＩＤＬＥである間に、ＮＡＳがＧＥＲＡＮまたはＵＴＲＡＮあるいはＥ−ＵＴＲＡＮを選択するように指示をＡＳに提供すると、ＵＥは、Ｅ−ＵＴＲＡＮセルへのセル選択および再選択を可能にし得る。
【００３５】
別の実装では、サービス要求がネットワークによって受理されることができない場合、ネットワークは、適切なＥＭＭ原因値を含むサービス拒絶（ＳＥＲＶＩＣＥ  ＲＥＪＥＣＴ）メッセージをＵＥに返信する。サービス拒絶（ＳＥＲＶＩＣＥ  ＲＥＪＥＣＴ）メッセージを受信すると、ＵＥは、タイマＴ３４１７を停止させ、適切な措置を講じるであろう。例えば、ＥＭＭ原因値は、＃１８（ＣＳドメイン非利用可能）であり得る。要求がＣＳフォールバックに関係した場合、ＵＥは、指示をＭＭ副層に送信し、複合追跡領域更新手順が完全に完了するまでＣＳフォールバックを試行しないであろう。次いで、ＵＥは、状態ＥＭＭ−ＲＥＧＩＳＴＥＲＥＤ．ＮＯＲＭＡＬ−ＳＥＲＶＩＣＥに入り得る。ＵＥ使用設定が「データ中心（Ｄａｔａ  Ｃｅｎｔｒｉｃ）」または「データのみ（Ｄａｔａ  Ｏｎｌｙ）」である場合、ＵＥは、ＣＳドメインが利用可能ではないという通知をユーザまたは上層に提供する。
【００３６】
ここで図１Ｂを参照すると、「ＩＭＳ  ＰＳ音声のみ（ＩＭＳ  ＰＳ  Ｖｏｉｃｅ  ｏｎｌｙ）」というＵＥ音声設定に対する挙動は、ＩＭＳ  ＰＳ音声のみに設定されたＵＥを単純に示す、ブロック１Ｂ−１から始まる。ブロック１Ｂ−２では、ＵＥは、ＥＰＳアタッチ手順（非複合）を開始する。ブロック１Ｂ−３では、ＵＥは、ネットワークからのＩＭＳ音声対応指示をチェックする。ＩＭＳ音声がサポートされる場合には、ブロック１Ｂ−４で、ＵＥがＩＭＳ音声を使用する。システムにアタッチされている間、ＵＥは、周期的に、またはＵＥが異なる追跡領域（Ｔｒａｃｋｉｎｇ  Ａｒｅａ）に移動するときに、追跡領域更新（Ｔｒａｃｋｉｎｇ  Ａｒｅａ  Ｕｐｄａｔｅ／ＴＡＵ）を行ない得る。ＴＡＵを行う時、ＵＥは新しいＶｏＩＭＳ指標を受信し得、その場合、ＵＥ処理は、ＶｏＩＭＳ指標がチェックされるブロック１Ｂ−３に戻る。ＩＭＳ音声がサポートされない場合には、ブロック１Ｂ−５で、ＵＥは、「音声中心（Ｖｏｉｃｅ  ｃｅｎｔｒｉｃ）」または「データ中心（Ｄａｔａ  ｃｅｎｔｒｉｃ）」についてＵＥの使用設定をチェックする。設定が「データ中心（Ｄａｔａ  ｃｅｎｔｒｉｃ）」である場合には、ブロック１Ｂ−６では、ＵＥは現在のＲＡＴ（Ｅ−ＵＴＲＡＮ）にとどまる。他方で、設定が「音声中心（Ｖｏｉｃｅ  ｃｅｎｔｒｉｃ）」である場合には、ブロック１Ｂ−７では、ＵＥは、音声サービスを取得し得る、別のＲＡＴを選択する。
【００３７】
（第１の問題：ＩＭＳ登録を開始できないこと）
上記で参照された図１Ａおよび図１Ｂで特定される挙動に関連する第１の問題は、ＵＥがＩＭＳ登録を開始するという保証がないことである。より具体的には、ＶｏＩＭＳ指標が「ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）」を示す場合には、ＵＥは「ＩＭＳ音声を使用する」と見込まれるが、ＵＥの音声設定が「ＩＭＳ  ＰＳ音声のみ（ＩＭＳ  ＰＳ  ｖｏｉｃｅ  ｏｎｌｙ）」および「ＩＭＳ音声優先、ＣＳ音声二次的（ＩＭＳ  ｖｏｉｃｅ  ｐｒｅｆｅｒｒｅｄ，  ＣＳ  ｖｏｉｃｅ  ｓｅｃｏｎｄａｒｙ）」に設定されているときに、ＵＥが確かにＩＭＳ登録を開始するという保証は無い。ＶｏＩＭＳ指標が「ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）」を示す場合には、ＵＥは、ＩＭＳ上で音声サービスを実現できないことを意味するＮＡＳまたはＡＳ理由がないことを知っている。しかしながら、これが達成されるために、ＵＥは、第１にＩＭＳ登録を開始しなければならない。
【００３８】
ＩＭＳサブシステムへのＩＭＳ登録への言及は、概して、ＩＭＳを使用して、ＵＥに情報を送信し、ＵＥから情報を受信することができるために必要とされる情報を取得する、ネットワークの任意の方法を指すと理解することができる。したがって、ネットワークは、ＩＭＳを使用して、ＵＥに情報を送信し、ＵＥから情報を受信することができるために必要とされる情報を取得しているか、またはネットワークは情報を持たない。ネットワークは、登録失敗により、またはＵＥが登録できなかったこと（例えば、ＵＥが該情報をネットワークに提供するようにＩＭＳ登録を開始していないこと）により、該情報を持たない場合がある。３ＧＰＰ  ＴＳ  ２４．２２９によるＩＭＳサブシステムへの音声サービスのＳＩＰ登録が、具体的実施例である。
【００３９】
音声サービスのＩＭＳ登録を行うときに、ＵＥは、音声サービスを要求していることをＩＭＳサブシステムが知るように、適正な指標を含まなければならない。適正な指標が含まれない、または許可されない場合には、ＩＭＳ対応Ｅ−ＵＴＲＡＮセル上にとどまるＵＥは、ＩＭＳ音声サービスまたはＩＭＳ音声移動終端セッション要求を依然として受信しない。
【００４０】
いくつかの実装では、ＵＥが適切に反応し、ＩＭＳ登録を開始することを確実にするために、ＵＥは、以下のように挙動する。
ＵＥの音声設定＝「ＩＭＳ  ＰＳ音声のみ（ＩＭＳ  ＰＳ  ｖｏｉｃｅ  ｏｎｌｙ）」、または
ＵＥの音声設定＝「ＩＭＳ音声優先、ＣＳ音声二次的（ＩＭＳ  ｖｏｉｃｅ  ｐｒｅｆｅｒｒｅｄ，  ＣＳ  ｖｏｉｃｅ  ｓｅｃｏｎｄａｒｙ）」であり、
かつ、ＶｏＩＭＳ指標が「ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）」を示す場合、
次いで、音声サービスサポートを要求する適正な指標によってＩＭＳ登録が誘起される。
【００４１】
例えば、アタッチ手順の完了の成功ときに、アタッチ受理（ＡＴＴＡＣＨ  ＡＣＣＥＰＴ）メッセージの中のＶｏＩＭＳ指標が、「ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）を示し、ＵＥの音声設定を受ける場合、ＩＭＳへのＳＩＰ登録の開始のために、アタッチ手順の成功した完了が上層に示される。
【００４２】
上記で示されるように、いくつかの実装では、ＩＭＳ登録は、ＳＩＰ登録を通して達成される。ＳＩＰメッセージの例は、ＳＩＰ要求およびＳＩＰ応答である。ＳＩＰ要求の例は、ＳＩＰ  ＩＮＶＩＴＥまたはＳＩＰ  ＲＥＧＩＳＴＥＲである。ＩＭＳ機能的要素の例は、Ｐ−ＣＳＣＦ、Ｓ−ＣＳＣＦ、Ｉ−ＣＳＣＦ、ＡＳ、ＳＣＣ  ＡＳ、ＨＳＳである。
【００４３】
ＩＭＳ登録は、ＩＥＴＦ  ＲＦＣ  ３２６１で説明されるように、ＳＩＰ登録要求を使用して行うことができ、ＳＩＰ登録要求は、３ＧＰＰ  ＴＳ  ２３．２２８および３ＧＰＰ  ＴＳ  ２４．２２９で文書化されるように、ＩＭＳ機能的要素によって処理される。
【００４４】
図２Ａは、ＵＥの音声設定が「ＩＭＳ音声優先、ＣＳ音声二次的（ＩＭＳ  ｖｏｉｃｅ  ｐｒｅｆｅｒｒｅｄ，  ＣＳ  ｖｏｉｃｅ  ｓｅｃｏｎｄａｒｙ）」に設定される場合に対する実装例の詳細なフローチャートを示す。該図は、音声サービスに対する適正な指標を用いてＩＭＳ登録を試行することを伴うブロック２Ａ−１の包含において、図１Ａとは異なる。１Ａ−４において、ＵＥがブロックＩＭＳ音声を使用し、次いで、ＴＡＵを行う場合において、ＵＥは、ブロック１Ａ−３においてＶｏＩＭＳ指標を再びチェックし、ＶｏＩＭＳがサポートされる場合、ブロック２Ａ−１において、ＵＥは、まだ音声サービスにＩＭＳ登録されていなければ、音声サービスに対する適正な指標を用いてＩＭＳ登録を試行するのみである。
【００４５】
図２Ｂは、ＵＥ音声設定が「ＩＭＳ  ＰＳ音声のみ（ＩＭＳ  ＰＳ  ｖｏｉｃｅ  ｏｎｌｙ）」に設定される場合に対する実装例の詳細なフローチャートを示す。該図は、音声サービスに対する適正な指標を用いてＩＭＳ登録を試行することを伴うブロック２Ｂ−１の包含において、図１Ｂとは異なる。ブロック１Ｂ−４において、ＵＥがＩＭＳ音声を使用し、次いで、ＴＡＵを行う場合において、ＵＥは、ブロック１Ｂ−３においてＶｏＩＭＳ指標を再びチェックし、ＶｏＩＭＳがサポートされる場合、ブロック２Ｂ−１において、ＵＥは、まだ音声サービスにＩＭＳ登録されていなければ、音声サービスに対する適正な指標を用いてＩＭＳ登録を試行するのみである。
【００４６】
（第２の問題：音声に対するＩＭＳ登録が失敗する場合がある）
図１Ａおよび図１Ｂを参照して上記で説明される挙動に関連する第２の問題は、音声に対するＩＭＳ登録が成功するという保証がないことである。より具体的には、ＥＰＳアタッチまたは追跡領域更新（Ｔｒａｃｋｉｎｇ  Ａｒｅａ  Ｕｐｄａｔｅ）が成功し、ネットワークがＩＭＳ音声をサポートするというだけで、音声に対するＩＭＳ登録が成功するという保証はない。登録が失敗する場合がある理由の一例は、ユーザの加入における制限により、ＳＩＰ登録がそれを可能にしないためである。理由の別の例は、撤回されたメッセージまたはメッセージの受信の遅延により、ＩＭＳ登録が失敗することである。ＩＭＳ登録が失敗し、ＵＥが何も行わず、ＥＰＳアタッチされたままとなるが、音声サービスにＩＭＳ登録されない場合には、移動発信または移動終端であるＩＭＳ音声セッションを実現することができない。この同じ状況は、ＳＩＰ登録が成功したが、音声サービスの要求の中の指標が許可されなかった（つまり、音声に対する要求された指標が、ＳＩＰ登録要求へのＳＩＰ  ２００  ＯＫ応答の中で返信されなかった）場合に存在し得る。この場合、ＵＥは、いくつかのサービスの使用のためにＩＭＳに登録され得るが、音声メディアを伝送するためにこの登録を使用することが許可されない場合がある。
【００４７】
（実施例１）
いくつかの実装では、ＵＥは、音声に対するＩＭＳ登録が失敗しており、ＵＥの音声設定が「ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」に設定されている状況を認識することによって、この問題に対処するように構成される。この状況を認識すると、ＵＥは、複合登録手順を即場合に試行するように構成される。次いで、これは、サポートされている場合にＣＳＦＢを用いて、ＵＥが音声サービスを取得することを可能にする。複合登録手順が失敗した場合には、ＵＥはＵＥの使用設定を考慮する。ＵＥの使用設定が「音声中心（Ｖｏｉｃｅ  Ｃｅｎｔｒｉｃ）」または「データ中心（Ｄａｔａ  Ｃｅｎｔｒｉｃ）」である場合には、ＵＥは、音声サービスを取得し得る、別のＲＡＴを選択する。ＵＥの使用設定が「データのみ（Ｄａｔａ  Ｏｎｌｙ）」である場合には、ＵＥは、音声サービスにアクセスすることなく現在のＲＡＴ（すなわち、Ｅ−ＵＴＲＡＮ）にとどまる。
【００４８】
図３Ａは、この場合に対する実装例の詳細なフローチャートを示す。該図は、３０において示されるように、ブロック２Ａ−１におけるＩＭＳ登録の誘起後にＩＭＳ登録が失敗した場合には、ＴＳ  ２３．２７２にあるようなＣＳＦＢに対する複合登録手順の実施を伴って、処理がブロック１Ａ−５で継続するという点で、図２Ａとは異なる。加えて、（３２において示されるように）ＵＥが「データのみ」である場合に、ブロック１Ａ−８（現在のＲＡＴにとどまる）が行われ、（３４において示されるように）ＵＥが「音声中心」または「データ中心」のみである場合に、ブロック１Ａ−９が行われる（ＵＥが別のＲＡＴを選択する）。
【００４９】
図３Ｂは、ＵＥの音声設定が「ＩＭＳ  ＰＳ音声のみ（ＩＭＳ  ＰＳ  ｖｏｉｃｅ  ｏｎｌｙ）」に設定される場合に対する実装例の詳細なフローチャートを示す。該図は、３６において示されるように、ブロック２Ｂ−１におけるＩＭＳ登録の誘起後にＩＭＳ登録が失敗した場合には、ＵＥがブロック１Ｂ−５においてＵＥの使用設定をチェックするという点で、図２Ｂとは異なる。ＵＥの使用設定が（３８において示されるように）「データのみ（Ｄａｔａ  Ｏｎｌｙ）」である場合には、ＵＥは、ブロック１Ｂ−６でＥ−ＵＴＲＡＮにとどまり、音声サービスにアクセスできない。（４０において示されるように）ＵＥの使用設定が「音声中心（Ｖｏｉｃｅ  ｃｅｎｔｒｉｃ）」である場合、またはＵＥの使用設定が「データ中心（Ｄａｔａ  Ｃｅｎｔｒｉｃ）」である場合には、ＵＥは、ブロック１Ｂ−７で、音声サービスを取得し得る、別のＲＡＴを選択する。
【００５０】
（実施例２Ａ）
いくつかの実装では、ＵＥは、音声サービスのＩＭＳ登録が失敗しており、ＵＥの音声設定が「データのみ（Ｄａｔａ  Ｏｎｌｙ）」に設定されている状況を認識することによって、この問題に対処するように構成される。この状況を認識すると、ＵＥは、最良のＰＳサービスを提供することができるＥＰＳにとどまるように構成される。より具体的には、ＵＥは、Ｅ−ＵＴＲＡＮ（図中の「現在のＲＡＴ」）にとどまり、別のＲＡＴを選択しない。最良のＰＳサービスは、Ｅ−ＵＴＲＡＮで提供することができる。ＰＳサービスはまた、ＧＥＲＡＮ／ＵＴＲＡＮで提供することもできるが、これらのＲＡＴでは、あまり最適化されていない方式で提供される。ＵＥは、複合登録試行を行わないが、代わりに、ＵＥは、音声サービスに対するＩＭＳ登録手順を再試行するように構成される。ＵＥは、他のサービスに対してＩＭＳへの登録が成功し得るが、上記で説明されるように、音声サービスへのアクセスが拒否され得、この場合、ＵＥは、音声サービスに対するＩＭＳ登録手順を再試行することに留意されたい。他の実装では、例えば、周期的に実行され得る、複数の再試行がある。
【００５１】
この挙動の実施例が、図４Ａおよび４Ｂで描写されている。第１に図４Ａを参照すると、図４Ａは、以下の３つの違いを除いて、図２Ａと同じである。
ＵＥは、ＩＭＳ登録が失敗した後に、５０において１回以上の試行を行う。
ＵＥの使用設定が「データのみ」である場合に、ブロック１Ａ−８がブロック１Ａ−７の後に実行される（５２において示される）。
ＵＥの使用設定が「音声中心」または「データ中心」である場合に、ブロック１Ａ−９がブロック１Ａ−７の後に実行される（５４において示される）。
【００５２】
ここで図４Ｂを参照すると、図４Ｂは、以下の３つの違いを除いて、図２Ｂと同じである。
ＵＥは、ＩＭＳ登録が失敗した後に、５６において１回以上の試行を行う。
ＵＥの使用設定が「データのみ」である場合に、ブロック１Ｂ−６がブロック１Ｂ−５の後に実行される（５８において示される）。
ＵＥの使用設定が「音声中心」または「データ中心」である場合に、ブロック１Ｂ−７がブロック１Ｂ−５の後に実行される（６０において示される）。
【００５３】
（実施例２Ｃ）
いくつかの実装では、上記の実施例１で説明される複合アタッチ手順が失敗し、ＵＥの使用設定が「データのみ（Ｄａｔａ  Ｏｎｌｙ）」である場合、ＵＥは、音声サービスが利用可能でないことを（ユーザインターフェースまたは何らかの他の警告を介して）ユーザに通知する。例えば、音声サービスを実現することができない場合、指標がユーザに提示され得る。たとえＵＥがサービスエリアの中にあっても、音声サービスが現在提供されることが可能ではないことをユーザに伝えるために、ユーザへの任意の指標（単なる例として、表示、オーディオ、振動等）を使用することができる。
【００５４】
この挙動の実施例は、以下の違いを伴って図２Ａと同じである、図５Ａで描写されている。
ＩＭＳ登録試行後の７０におけるＩＭＳ登録の失敗ときに、ＵＥは、ブロック１Ａ−５で複合ＴＡＵを行う。
ブロック１Ａ−７の後、ＵＥの使用設定が「データのみ」である場合、ＵＥは、ブロック５Ａ−１で音声サービスが利用可能ではないことをユーザに通知し、ＵＥは、現在のＲＡＴにとどまる（７２において示される）。
ＵＥの使用設定が「音声中心」または「データ中心」である場合に、ブロック１Ａ−９がブロック１Ａ−７に続く（７４において示される）。
【００５５】
この挙動の別の実施例は、以下の違いを伴って図２Ｂと同じである、図５Ｂで描写されている。
ＩＭＳ登録試行後の７１におけるＩＭＳ登録の失敗ときに、ＵＥは、ブロック１Ｂ−５において、「音声中心（Ｖｏｉｃｅ  Ｃｅｎｔｒｉｃ）」または「データ中心（Ｄａｔａ  Ｃｅｎｔｒｉｃ）」についてＵＥの使用設定をチェックする。
ブロック１Ｂ−５の後、ＵＥの使用設定が「データのみ」である場合、ＵＥは、ブロック５Ｂ−１で音声サービスが利用可能ではないことをユーザに通知し、ＵＥは、現在のＲＡＴにとどまる（７３において示される）。
ＵＥの使用設定が「音声中心」または「データ中心」である場合に、ブロック１Ｂ−７がブロック１Ｂ−５に続く（７５において示される）。
【００５６】
音声サービスが利用可能ではないことを通知されると、ユーザは、ＵＥの使用設定を「音声中心（Ｖｏｉｃｅ  Ｃｅｎｔｒｉｃ）」または「データ中心（Ｄａｔａ  Ｃｅｎｔｒｉｃ）」に変更することを選択し得る。ＵＥがすでに複合登録手順を試行しており、試行が失敗しているため、「音声中心（Ｖｏｉｃｅ  Ｃｅｎｔｒｉｃ）」または「データ中心（Ｄａｔａ  Ｃｅｎｔｒｉｃ）」へのＵＥの使用設定の変更は、ＵＥに、音声を提供することができる別のＲＡＴ（ＧＥＲＡＮ／ＵＴＲＡＮ等）を選択させる。
【００５７】
いくつかの実装では、音声サービスが利用可能ではないというユーザへの通知はまた、音声サービスを取得するために、ＵＥの使用設定を変更したいかどうかをユーザに尋ねるプロンプトも含む。
【００５８】
この挙動の実施例が図６Ａで描写されている。図６Ａは、以下の違いを伴って図５Ａと同じである。
ブロック５Ａ−１の後、ユーザが「データのみ」を受理した場合には、ＵＥは、ブロック１Ａ−８で現在のＲＡＴにとどまる（８２において示される）。
ブロック５Ａ−１の後、ユーザがＵＥの使用設定を「音声のみ」または「データのみ」に変更した場合には、ＵＥは、ブロック１Ａ−９で別のＲＡＴを選択する（８４において示される）。
【００５９】
いくつかの実装では、ＵＥの使用設定が「データ中心」から「音声中心」に変更されると、ＵＥは、選択されたＰＬＭＮまたは同等ＰＬＭＮに対して、Ｅ−ＵＴＲＡＮよりもむしろＧＥＲＡＮまたはＵＴＲＡＮ無線アクセス技術を選択するように指示をＡＳに提供する。例えば、そのような過程は、ＵＥがＥＭＭ原因値＃１８を受信した後に完了し得る。
【００６０】
この挙動の別の実施例が図６Ｂで描写されている。図６Ｂは、以下の違いを伴って図５Ｂと同じである。
ブロック５Ｂ−１の後、ユーザが「データのみ」を受理した場合には、ＵＥは、ブロック１Ｂ−６で現在のＲＡＴにとどまる（１００において示される）。
ブロック５Ｂ−１の後、ユーザがＵＥの使用設定を「音声のみ」または「データのみ」に変更した場合には、ＵＥは、ブロック１Ａ−９で別のＲＡＴを選択する（１０２において示される）。
【００６１】
（実施例２Ｄ）
ＩＭＳ登録が１回以上の再試行後に失敗し、複合登録手順が自動的に試行されないときに、ＵＥの音声設定が「ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」であり、ＵＥの使用設定「データのみ（Ｄａｔａ  ｏｎｌｙ）」に設定されている場合において、またはＵＥの音声設定が「ＩＭＳ  ＰＳ音声のみ（ＩＭＳ  ＰＳ  Ｖｏｉｃｅ  Ｏｎｌｙ）であり、ＵＥの使用設定が「データのみ（Ｄａｔａ  ｏｎｌｙ）」に設定される場合において、ＵＥは、音声サービスが利用可能でないことを（ユーザインターフェースまたは何らかの他の警告を介して）ユーザに通知するように構成される。この場合、ユーザは、ＵＥの使用設定を「音声中心（Ｖｏｉｃｅ  Ｃｅｎｔｒｉｃ）」または「データ中心（Ｄａｔａ  Ｃｅｎｔｒｉｃ）」に変更することを選択し得る。これは即座に、成功すれば、音声サービスが必要とされるまで、ＵＥがＥＳＰにとどまり、この場合、ＣＳＦＢを用いて音声サービスを取得することを可能にする、複合登録手順（ＵＥの音声設定が「ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」である場合）を試行するようにＵＥを促す。ＵＥの音声設定が「ＩＭＳ  ＰＳ音声のみ（ＩＭＳ  ＰＳ  Ｖｏｉｃｅ  Ｏｎｌｙ）」である場合において、ユーザは、ＵＥの使用設定を「音声中心（Ｖｏｉｃｅ  Ｃｅｎｔｒｉｃ）」または「データ中心（Ｄａｔａ  Ｃｅｎｔｒｉｃ）」に変更し得、それは、音声サービスをサポートし得る別のＲＡＴを再選択するようにＵＥを促す。
【００６２】
この挙動の実施例が図７Ａで描写されている。図７Ａは、以下の点で図２Ａとは異なる。
ＩＭＳ登録失敗後（１１２）、ＵＥは、ブロック７Ａ−１において、音声サービスが利用可能ではないことをユーザに通知する。
ユーザが「音声中心（Ｖｏｉｃｅ  Ｃｅｎｔｒｉｃ）」または「データ中心（Ｄａｔａ  Ｃｅｎｔｒｉｃ）」を示す場合（１１６）には、方法はブロック１Ａ−５で継続する。
ユーザが「データのみ（Ｄａｔａ  ｏｎｌｙ）」を示す場合には、ＩＭＳ登録は再試行されず（１１４）、次いで、方法はブロック１Ａ−８で継続する。
ＵＥの使用設定が「音声中心（Ｖｏｉｃｅ  Ｃｅｎｔｒｉｃ）」または「データ中心（Ｄａｔａ  Ｃｅｎｔｒｉｃ）」である場合（１１８）において、ブロック１Ａ−９がブロック１Ａ−７に続く。
【００６３】
この挙動の別の実施例が図７Ｂで描写されている。図７Ｂは、以下の点で図２Ｂとは異なる。
ＩＭＳ登録失敗後（１２２）、ＵＥは、ブロック７Ｂ−１において、音声サービスが利用可能ではないことをユーザに通知する。
ユーザが「音声中心（Ｖｏｉｃｅ  Ｃｅｎｔｒｉｃ）」または「データ中心（Ｄａｔａ  Ｃｅｎｔｒｉｃ）」を示す場合（１２４）には、方法はブロック１Ｂ−５で継続する。
ユーザが「データのみ（Ｄａｔａ  ｏｎｌｙ）」を示す場合には、ＩＭＳ登録は再試行されず（１２８）、次いで、方法はブロック１Ｂ−６で継続する。
ＵＥの使用設定が「音声中心（Ｖｏｉｃｅ  Ｃｅｎｔｒｉｃ）」または「データ中心（Ｄａｔａ  Ｃｅｎｔｒｉｃ）」である場合（１２６）において、ブロック１Ｂ−９がブロック１Ｂ−５に続く。
【００６４】
（実施例２Ｅ）
実施例２Ｄに続くものとして、いくつかの実装では、ユーザは、ＩＭＳ登録（元の数または何らかの数の試行）が失敗したことを指示され、代替として、ユーザは、「音声に対するＩＭＳ登録の再試行」を要求することができ、この要求は、「データ中心（Ｄａｔａ  Ｃｅｎｔｒｉｃ）」または「音声中心（Ｖｏｉｃｅ  Ｃｅｎｔｒｉｃ）」に設定されたＵＥの使用設定からＵＥが退き、ＩＭＳ登録における周期的試行を、成功するまで、またはある数の試行が試行および失敗されるまで、再開するように促すことができる。代替として、ユーザは「データのみ（Ｄａｔａ  Ｏｎｌｙ）」を示すことができ、その場合、ＵＥは、「データ中心（Ｄａｔａ  Ｃｅｎｔｒｉｃ）」に設定されたＵＥの使用設定から退き、ＵＥは、（音声サービスの目的で）ＩＭＳ登録を再試行しない。
【００６５】
この挙動の別の実施例が図７Ｃで描写されている。図７Ｃは、以下の点で図７Ａとは異なる。
ＩＭＳ登録失敗後（１１２）、ＵＥは、ブロック７Ａ−１において、音声サービスが利用可能ではないことをユーザに通知し、ユーザが１１０で「再試行（ＲＥＴＲＹ）」を示す場合には、方法はブロック２Ａ−１で継続する。
【００６６】
この挙動の別の実施例が図７Ｄで描写されている。図７Ｄは、以下の点で図７Ｃとは異なる。
ＩＭＳ登録失敗後（１２２）、ＵＥは、ブロック７Ｂ−１において、音声サービスが利用可能ではないことをユーザに通知し、ユーザが１２０で「再試行（ＲＥＴＲＹ）」を示す場合には、方法はブロック２Ａ−１で継続する。
【００６７】
（実施例３Ａ）
いくつかの実装では、ＵＥは、ＩＭＳ登録が失敗しており、ＵＥの使用設定が「音声中心（Ｖｏｉｃｅ  Ｃｅｎｔｒｉｃ）」である状況を認識するように構成される。ＵＥは、この状況を認識すると、ＵＥの音声設定が「ＩＭＳ  ＰＳ音声のみ（ＩＭＳ  ＰＳ  ｖｏｉｃｅ  ｏｎｌｙ）」であるか「ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」であるかどうかにかかわらず、音声サービスを実現することができる別のＲＡＴ（標的ＲＡＴ）（例えば、ＧＥＲＡＮ／ＵＴＲＡＮ）を選択／再選択するようにＡＳを誘起するように構成される。
【００６８】
この挙動の第１の詳細な実施例が図８Ａで描写されている。図８Ａは、以下ように図２Ａとは異なる。
１３０におけるＩＭＳ登録失敗後、ＵＥは、ブロック８Ａ−１で「音声中心（Ｖｏｉｃｅ  Ｃｅｎｔｒｉｃ）」または「データ中心（Ｄａｔａ  Ｃｅｎｔｒｉｃ）」についてＵＥの使用設定をチェックする。
設定が１３２で示されるように「データ中心（Ｄａｔａ  Ｃｅｎｔｒｉｃ）」または「データのみ（Ｄａｔａ  Ｏｎｌｙ）」である場合、方法はブロック１Ａ−５で継続する。
設定が１３８で示されるように「音声中心（Ｖｏｉｃｅ  Ｃｅｎｔｒｉｃ）」である場合には、方法は、別のＲＡＴの選択を伴うブロック１Ａ−９で継続する。
ブロック１Ａ−８は、ＵＥの使用設定が「データのみ（Ｄａｔａ  ｏｎｌｙ）」である場合（１３４で示される）に対して、ブロック１Ａ−７に続く。
ブロック１Ａ−９は、ＵＥの使用設定が「音声中心（Ｖｏｉｃｅ  Ｃｅｎｔｒｉｃ）」または「データ中心（Ｄａｔａ  Ｃｅｎｔｒｉｃ）である場合（１３６で示される）に対して、ブロック１Ａ−７に続く。
【００６９】
この挙動の第２の詳細な実施例が図８Ｂで描写されている。図８Ｂは、以下ように図２Ｂとは異なる。
１４０におけるＩＭＳ登録失敗後、ＵＥは、ブロック８Ｂ−１で「音声中心（Ｖｏｉｃｅ  Ｃｅｎｔｒｉｃ）」または「データ中心（Ｄａｔａ  Ｃｅｎｔｒｉｃ）」についてＵＥの使用設定をチェックする。
設定が１４２で示されるように「データのみ（Ｄａｔａ  Ｏｎｌｙ）」である場合、方法はブロック１Ｂ−６で継続する。
設定が１４４で示されるように「音声中心（Ｖｏｉｃｅ  Ｃｅｎｔｒｉｃ）」または「データ中心（Ｄａｔａ  Ｃｅｎｔｒｉｃ）」である場合には、方法は、別のＲＡＴの選択を伴うブロック１Ｂ−７で継続する。
ブロック１Ｂ−６は、ＵＥの使用設定が「データのみ（Ｄａｔａ  Ｏｎｌｙ）」である場合（１４６で示される）に対して、ブロック１Ｂ−５に続く。
ブロック１Ｂ−７は、ＵＥの使用設定が「音声中心（Ｖｏｉｃｅ  Ｃｅｎｔｒｉｃ）」または「データ中心（Ｄａｔａ  Ｃｅｎｔｒｉｃ）である場合（１４８で示される）に対して、ブロック１Ｂ−５に続く。
【００７０】
（実施例３Ｂ）
いくつかの実装では、ＵＥは、上記の実施例３Ａを参照して説明されるようなＲＡＴ再選択に続くものとして、標的システムがＩＭＳ音声をサポートすることができると知った場合に、いったん標的システムの中にあると、ＩＭＳ登録を再試行するように構成される。標的システムにおけるＩＭＳ登録における、この後続の試行が失敗した場合、この場合、ＵＥは、標的システムにおけるＣＳを介して音声サービスを取得し得る。
【００７１】
この挙動の第１の実施例が、ブロック９Ａ−１、９Ａ−２、および９Ａ−３の追加を伴って図８Ａと同じである、図９Ａで描写されている。ブロック１Ａ−９の後に、ＵＥは、ブロック９Ａ−１で、標的システムがＩＭＳ音声をサポートすることができると知った場合に音声に対するＩＭＳ登録を再試行する。成功した場合には、ＵＥは、ブロック９Ａ−２で、標的システムにおけるＰＳを介して音声サービスを取得する。失敗した場合には、ＵＥは、ブロック９Ａ−３で、標的システムにおけるＣＳを介して音声サービスを取得する。
【００７２】
この挙動の第２の実施例が、ブロック９Ｂ−１、９Ｂ−２、および９Ｂ−３の追加を伴って図８Ｂと同じである、図９Ｂで描写されている。ブロック１Ｂ−７の後に、ＵＥは、ブロック９Ｂ−１で、標的システムがＩＭＳ音声をサポートすることができると知った場合に音声に対するＩＭＳ登録を再試行する。成功した場合には、ＵＥは、ブロック９Ｂ−２で、標的システムにおけるＰＳを介して音声サービスを取得する。失敗した場合には、ＵＥは、ブロック９Ｂ−３で、標的システムにおけるＣＳを介して音声サービスを取得する。
【００７３】
（第３の問題：ＵＥが不適切なＲＡＴで拘束される場合がある）
図１Ａおよび１Ｂで特定される挙動に関連する第３の問題は、ＵＥが不適切なＲＡＴで拘束される場合があることである。より具体的には、図１Ａおよび１ＢでのＵＥの使用設定が「データ中心（Ｄａｔａ  Ｃｅｎｔｒｉｃ）」に設定される場合、これは、ＵＥが音声サービスを全く得ないことにつながり得る。図１Ａおよび１Ｂでの「データ中心（Ｄａｔａ  Ｃｅｎｔｒｉｃ）」が、（たとえあらゆる音声サービスを除外しても）ＵＥがデータサービスのみを求めること、すなわち、「データのみ（Ｄａｔａ  Ｏｎｌｙ）」を意味するように解釈される場合、これは問題ではない。図１Ａおよび１Ｂでの「データ中心」が、本本書の上記で定義されるような「データ中心（Ｄａｔａ  Ｃｅｎｔｒｉｃ）」を意味するように解釈されるには、この挙動は問題である。
【００７４】
さらに、ネットワークＶｏＩＭＳ指示（この指示は追跡領域ごとであるため、登録された追跡領域内にある）がサポートを示さなかったので、ＵＥが現在のＲＡＴにとどまり、音声サービスにアクセスできないが、移動性により、ＩＭＳ  ＰＳ音声がサポートされていることをネットワークＶｏＩＭＳ指標が示す、ＧＥＲＡＮ／ＵＴＲＡＮ無線受信範囲のルーティング領域またはＥ−ＵＴＲＡＮ受信範囲の追跡領域にＵＥが入った場合には、ＵＥは後に、音声に対するＩＭＳ登録を再試行する必要がある。
【００７５】
別の状況では、ＵＥの音声設定が「ＩＭＳ  ＰＳ音声のみ（ＩＭＳ  ＰＳ  Ｖｏｉｃｅ  Ｏｎｌｙ）」または「ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」であり、ＵＥの使用設定が「音声中心（Ｖｏｉｃｅ  Ｃｅｎｔｒｉｃ）」または「データ中心（Ｄａｔａ  Ｃｅｎｔｒｉｃ）」に設定される場合、たとえＬＴＥまたはＧＥＲＡＮ／ＵＴＲＡＮにおけるＩＭＳ上の音声サービスが、ＵＥの移動性により利用可能になり得る場合にも、ＵＥは、最終的にＧＥＲＡＮ／ＵＴＲＡＮにとどまり、音声にＣＳ音声サービスを使用し得る。ＵＥは、移動するにつれて、ＩＭＳ音声をサポートする、新しいＥ−ＵＴＲＡＮ追跡領域または新しいＧＥＲＡＮ／ＵＴＲＡＮルーティング領域のサービスエリアの中へ移動し得、その場合、ＵＥが、ＧＥＲＡＮ／ＵＴＲＡＮ上で、またはＬＴＥ上でＩＭＳ音声サービスを得ることができ、「データ中心」ＵＥについては、ＧＥＲＡＮ／ＵＴＲＡＮに拘束されなければＬＥＴ上でＰＳサービスをより良好に得ることができるという可能性がある。
【００７６】
（実施例１）
いくつかの実施例では、ＵＥは、ＵＥの使用設定が「データのみ（Ｄａｔａ  Ｏｎｌｙ）」に設定され、ＵＥの音声設定が「ＩＭＳ  ＰＳ音声のみ（ＩＭＳ  ＰＳ  Ｖｏｉｃｅ  Ｏｎｌｙ）」または「ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」であり、ＥＰＳアタッチしようとしたときに、「ＩＭＳボイスオーバーＰＳセッション非対応（ＩＭＳ  Ｖｏｉｃｅ  ｏｖｅｒ  ＰＳ  ｓｅｓｓｉｏｎ  ｎｏｔ  ｓｕｐｐｏｒｔｅｄ）」であることを知るという状況を認識するように構成され、その結果、ＵＥが音声サービスへのアクセスを伴わずにＥ−ＵＴＲＡＮにとどまる。ＩＭＳボイスオーバーＰＳセッションのサポートは、追跡領域（Ｔｒａｃｋｉｎｇ  Ａｒｅａ／ＴＡ）ごとである。次いで、ＵＥは、異なるＴＡ／ＲＡを伴うセル（または代替として、ＵＥ  ＴＡＩリスト外のＴＡを伴うセル）が検出されるまで、隣接Ｅ−ＵＴＲＡＮセルのＴＡを監視するように構成される。そのようなＬＴＥセルを検出すると、ＵＥは、このセル上にとどまろうとし、この過程の一部として追跡領域更新（Ｔｒａｃｋｉｎｇ  Ａｒｅａ  Ｕｐｄａｔｅ）をネットワークに送信する。これに応答して、ＵＥは、追跡領域更新（Ｔｒａｃｋｉｎｇ  Ａｒｅａ  Ｕｐｄａｔｅ）応答を受信する。追跡領域更新（Ｔｒａｃｋｉｎｇ  Ａｒｅａ  Ｕｐｄａｔｅ）応答は、この追跡領域に対するネットワークＶｏＩＭＳ指標を含む。指標が「ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）」である場合には、ＵＥは、音声サービスを要求する指標を用いてＩＭＳ登録を再試行する。後から続く挙動は、例えば、ＩＭＳ登録失敗を取り扱う、上記で説明される実装に従い得る。
【００７７】
この挙動の実施例が図１０Ａで描写されている。ＵＥがブロック１Ａ−８に到達すると、上記で説明されるシナリオが発生し得る。方法は、ＵＥが、異なるＴＡを伴うセル（または代替として、ＵＥ  ＴＡＩリスト外のＴＡを伴うセル）が検出されるまで、隣接Ｅ−ＵＴＲＡＮセルのＴＡを監視するブロック１０Ａ−１において継続する。ブロック１０Ａ−２では、そのようなセルを検出すると、ＵＥは、このセル上にとどまろうとし、この過程の一部として追跡領域更新（Ｔｒａｃｋｉｎｇ  Ａｒｅａ  Ｕｐｄａｔｅ）をネットワークに送信する。これに応答して、ＵＥは、追跡領域更新（Ｔｒａｃｋｉｎｇ  Ａｒｅａ  Ｕｐｄａｔｅ）応答を受信する。追跡領域更新（Ｔｒａｃｋｉｎｇ  Ａｒｅａ  Ｕｐｄａｔｅ）応答は、この追跡領域に対するネットワークＶｏＩＭＳ指標を含む。指標が「ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）」である場合（ブロック１０Ａ−３）には、ＵＥは、ブロック１０Ａ−４において、音声サービスを要求する指標を用いてＩＭＳ登録を再試行する。後から続く挙動は、例えば、ＩＭＳ登録失敗を取り扱う、上記で説明される実装に従い得る。ＩＭＳ  ＰＳ音声のみのＵＥ音声設定については、ステップ１０Ａ−１、１０Ａ−２、１０Ａ−３、および１０Ａ−４が、図２Ｂのブロック１Ｂ−６に続く。
【００７８】
（実施例２）
いくつかの実施例では、ＵＥは、ＵＥの使用設定が「音声中心（Ｖｏｉｃｅ  Ｃｅｎｔｒｉｃ）」または「データ中心（Ｄａｔａ  Ｃｅｎｔｒｉｃ）」に設定され、ＵＥの音声設定が「ＩＭＳ  ＰＳ音声のみ（ＩＭＳ  ＰＳ  Ｖｏｉｃｅ  Ｏｎｌｙ）」または「ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」であり、ＥＰＳアタッチしようとするときに、ＶｏＩＭＳ指標を受信し、「ＩＭＳボイスオーバーＰＳセッション非対応（ＩＭＳ  Ｖｏｉｃｅ  ｏｖｅｒ  ＰＳ  ｓｅｓｓｉｏｎ  ｎｏｔ  ｓｕｐｐｏｒｔｅｄ）」であることを知るという状況を認識するように構成され、その結果、ＵＥは、音声サービスを伴うが最適とはいえないデータサービスを伴ってＧＥＲＡＮ／ＵＴＲＡＮにとどまる。この場合、ＵＥがアイドルモードである場合、ＵＥは、好適な発見されたＥ−ＵＴＲＡＮセルを再選択しようとする（例えば、定期的な間隔で、またはタイマに基づいて、１回または複数回）ように構成される。上記で説明されるように、この過程は、ＵＥの音声設定が「ＩＭＳ  ＰＳ音声のみ（ＩＭＳ  ＰＳ  Ｖｏｉｃｅ  Ｏｎｌｙ）」である場合には定期的な追跡領域更新を誘起し、またはＵＥの音声設定が「ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」である場合には複合追跡領域更新を誘起する。ＴＡＵまたは複合ＴＡ／ＬＡ更新手順中に取得されるＶｏＩＭＳ指標が、ＩＭＳ音声がサポートされていることを示す場合には、ＵＥは続けて、音声サービスを要求する指標を用いてＩＭＳ登録を試行する。後から続く挙動は、例えば、ＩＭＳ登録失敗を取り扱う、上記で説明される実装に従い得る。
【００７９】
「ＩＭＳ  ＰＳ音声のみ（ＩＭＳ  ＰＳ  Ｖｏｉｃｅ  Ｏｎｌｙ）」のＵＥ音声設定に対する、この挙動の実施例が、図１０Ｂで描写されている。ＵＥがブロック１Ｂ−７に到達すると、上記で説明されるシナリオが発生し得る。この場合、ＵＥがアイドルモードである時、ＵＥは、ブロック１０Ｂ−１で、好適な発見されたＥ−ＵＴＲＡＮセルを再選択しようとする（例えば、定期的な間隔で、またはタイマに基づいて、１回または複数回）ように構成される。この過程は、ＵＥの音声設定が「ＩＭＳ  ＰＳ音声のみ（ＩＭＳ  ＰＳ  Ｖｏｉｃｅ  Ｏｎｌｙ）」である場合には定期的な追跡領域更新を誘起し、またはＵＥの音声設定が「ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」である場合には複合追跡領域更新を誘起する。ＴＡＵまたは複合ＴＡ／ＬＡ更新手順中に取得されるＶｏＩＭＳ指標が、ＩＭＳ音声がサポートされていることを示す場合には、ＵＥは続けて、１０Ｂ−２で、音声サービスを要求する指標を用いてＩＭＳ登録を試行する。「ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」のＵＥ音声設定については、ステップ１０Ｂ−１および１０Ｂ−２が、図２Ａのブロック１Ａ−９に続く。
【００８０】
別の実施例が図１０Ｃで描写されている。ＵＥがブロック１Ａ−９に到達すると、上記で説明されるシナリオが発生し得る。方法は、現在のセルのＲＡが以前のＲＡとは異なることをＵＥが決定するブロック１０Ｃ−１において継続する。ブロック１０Ｃ−２では、そのようなセルを検出すると、ＵＥは、この過程の一部としてルーティング領域更新（Ｒｏｕｔｉｎｇ  Ａｒｅａ  Ｕｐｄａｔｅ）をネットワークに送信する。これに応答して、ＵＥは、ルーティング領域更新（Ｒｏｕｔｉｎｇ  Ａｒｅａ  Ｕｐｄａｔｅ）応答を受信する。ルーティング領域更新（Ｒｏｕｔｉｎｇ  Ａｒｅａ  Ｕｐｄａｔｅ）応答は、このルーティング領域に対するネットワークＶｏＩＭＳ指標を含む。指標が「ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）」である場合（ブロック１０Ｃ−３）には、ＵＥは、ブロック１０Ｃ−４において、音声サービスを要求する指標を用いてＩＭＳ登録を再試行する。後から続く挙動は、例えば、ＩＭＳ登録失敗を取り扱う、上記で説明される実装に従い得る。ＩＭＳ  ＰＳ音声のみのＵＥ音声設定については、ステップ１０Ｃ−１、１０Ｃ−２、１０Ｃ−３、および１０Ｃ−４が、図２Ｂのブロック１Ｂ−６に続く。
【００８１】
いくつかの実装では、ＭＳが状態ＧＭＭ−ＲＥＧＩＳＴＥＲＥＤおよびＭＭ−ＩＤＬＥであるとき、ネットワークがネットワーク動作モードＩで動作するとき、かつ、Ｉｕモードで、ＩＰマルチメディアサブシステムへのＳＩＰ登録が失敗しており、ＵＥの使用設定が「音声中心（Ｖｏｉｃｅ  Ｃｅｎｔｒｉｃ）」であるという指示を上層からＵＥが受信するときに、複合ルーティング領域更新手順がＭＳ動作モードＡまたはＢで動作するＧＰＲＳ  ＭＳによって開始され得る。
【００８２】
問題３について説明される可能な実施例の一側面は、ＵＥが、追跡領域更新（Ｔｒａｃｋｉｎｇ  Ａｒｅａ  Ｕｐｄａｔｅ）またはルーティング領域更新（Ｒｏｕｔｉｎｇ  Ａｒｅａ  Ｕｐｄａｔｅ）等のＮＡＳ登録手順を行うことによって、ＴＡまたはＲＡに対するＶｏＩＭＳ指標を取得することである。この登録手順は、ＵＥとネットワークとの間の信号伝達を必要とする。例えば、ＮＡＳ登録応答メッセージは、ＥＰＳアタッチ手順への応答、追跡領域更新（ＴＲＡＣＫＩＮＧ  ＡＲＥＡ  ＵＰＤＡＴＥ）応答、ルーティング領域更新（ＲＯＵＴＩＮＧ  ＡＲＥＡ  ＵＰＤＡＴＥ）応答、アタッチ受理（ＡＴＴＡＣＨ  ＡＣＣＥＰＴ）応答、または追跡領域更新受理（ＴＲＡＣＫＩＮＧ  ＡＲＥＡ  ＵＰＤＡＴＥ  ＡＣＣＥＰＴ）応答であり得る。いくつかの実装では、ネットワークは、全てのセルによって送信される放送システム情報の一部として、ＶｏＩＭＳ指標を放送するように構成される。このＶｏＩＭＳ指標をどのようにして使用することができるかという実施例は、図１０Ｂで説明される実装の軽微な変化例と見なすことができる。定期的な間隔でＥ−ＵＴＲＡＮセルを再選択し、追跡領域更新（Ｔｒａｃｋｉｎｇ  Ａｒｅａ  Ｕｐｄａｔｅ）を行ってＶｏＩＭＳ指標を取得しようとするＵＥ（図１０Ｂのブロック１０Ｂ−１に示されるような）の代わりに、ＵＥは、定期的な間隔でＥ−ＵＴＲＡＮセルの放送システム情報を読み取ってＶｏＩＭＳ指標を取得しようとすることができる。放送システム情報で取得されたＶｏＩＭＳ指標が、ＩＭＳ音声がサポートされていることを示す場合には、ＵＥは続けて、１０Ｂ−２で音声サービスを要求する指標を用いてＩＭＳ登録を試行する。
【００８３】
（第４の問題：  ＵＥの使用設定が「データのみ（Ｄａｔａ  Ｏｎｌｙ）」に変更された後に「音声中心（Ｖｏｉｃｅ  Ｃｅｎｔｒｉｃ）」または「データ中心（Ｄａｔａ  Ｃｅｎｔｒｉｃ）」に戻る）
上記で参照された図１Ａおよび１Ｂで特定される挙動に関連する第４の問題は、状況によっては、ＵＥの使用設定が変更されることが望ましいことである。例えば、ＵＥが大量のデータをダウンロードしている場合には、たとえ音声サービスがＥ−ＵＴＲＡＮ上で利用可能ではなくても、ＵＥがＥ−ＵＴＲＡＮを使用するように、ＵＥの使用設定が「データのみ（Ｄａｔａ  ｏｎｌｙ）」であることが望ましいことがある。大量のデータのダウンロードが完了すると、次いで、たとえ別のＲＡＴが選択されることを意味しても、音声が利用可能であることを確実にするために、ＵＥの使用設定が再び「音声中心（Ｖｏｉｃｅ  Ｃｅｎｔｒｉｃ）」または「データ中心（Ｄａｔａ  Ｃｅｎｔｒｉｃ）」になることが望ましいことがある。特定の問題は、ユーザが、ＵＥの使用設定を「データのみ」に設定するが、次いで、後の段階で「音声中心（Ｖｏｉｃｅ  Ｃｅｎｔｒｉｃ）」または「データ中心（Ｄａｔａ  Ｃｅｎｔｒｉｃ）」に設定を戻すことを忘れる場合があることである。
【００８４】
（実施例１）
より具体的には、ユーザ選好に基づいて、またはＵＥで作動するアプリケーションの要件に基づいて、上記で参照された図１Ａおよび１ＢでのＵＥの使用設定が「データ中心（Ｄａｔａ  Ｃｅｎｔｒｉｃ）」に設定される場合、ＵＥ使用設定は、データサービスに優先度を与え、したがって、データサービスにとって最良のＲＡＴ（すなわち、Ｅ−ＵＴＲＡＮ）をＵＥに選択させるように、「データのみ（Ｄａｔａ  Ｏｎｌｙ）」に修正され得る。しかしながら、後でＵＥ使用設定を元の値（すなわち、「音声中心（Ｖｏｉｃｅ  Ｃｅｎｔｒｉｃ）」または「データ中心（Ｄａｔａ  Ｃｅｎｔｒｉｃ）」）に修正できることが望ましい。実施例として、ＵＥ使用設定は、後でユーザによって変更され得る。別の実施例では、ＵＥで作動するアプリケーションが、ＵＥが「音声中心（Ｖｏｉｃｅ  Ｃｅｎｔｒｉｃ）」または「データ中心（Ｄａｔａ  Ｃｅｎｔｒｉｃ）」であり、これに基づき、アプリケーションまたはユーザがＵＥ使用設定を「データのみ（Ｄａｔａ  Ｏｎｌｙ）」に変更する時でさえも、利用可能な最良のＰＳサービスを必要とする。しかしながら、いったんアプリケーションが終了すると、アプリケーションまたはＵＥは、ＵＥ使用設定を元の値、つまり、「音声中心（Ｖｏｉｃｅ  Ｃｅｎｔｒｉｃ）」または「データ中心（Ｄａｔａ  Ｃｅｎｔｒｉｃ）」に戻す。
【００８５】
そのようなシナリオでは、いったんＵＥ使用設定が「データのみ（Ｄａｔａ  Ｏｎｌｙ）」に変更されると、ＵＥは最終的に、「データのみ（Ｄａｔａ  Ｏｎｌｙ）」ＵＥについて上記の実装で説明される挙動に基づいて、ＲＡＴを選択する。しかしながら、いったんＵＥ使用設定が元の値に修正して戻されると、ＵＥは、適切なＲＡＴにアタッチしようとし、ＩＭＳの可用性およびＵＥのＵＥ音声設定に基づいて、音声サービスにアクセスしようとするべきである。しかしながら、ＵＥについて定義される現在の挙動では、ＵＥは、適切なＲＡＴを再選択しようとも、ＩＭＳが利用可能である場合にＩＭＳに登録しようともしない。
【００８６】
あるシナリオでは、ＵＥ使用設定は、ＵＥで作動するアプリケーションにとって最良のＰＳサービスを可能にするように、ユーザまたはＵＥで作動するアプリケーション（または一式のアプリケーション）によって、「データ中心（Ｄａｔａ  Ｃｅｎｔｒｉｃ）」または「音声中心（Ｖｏｉｃｅ  Ｃｅｎｔｒｉｃ）」から「データのみ（Ｄａｔａ  Ｏｎｌｙ）」に修正される。後に、ＵＥ使用設定は、一式の可能な誘起条件に基づいて、元の設定に戻される。結果として、ＵＥ音声設定に基づくＵＥは、ＩＭＳ音声が利用可能であるかどうかを発見し、ＩＭＳに登録し、適切なＲＡＴを選択するように、上記の実装で説明される手段のうちの１つ以上を行う。
【００８７】
図１１Ａを参照すると、実装では、ＵＥで作動するアプリケーション（または一式のアプリケーション）が、ブロック１１Ａ−１でＵＥ使用設定を修正する。ブロック１１Ａ−２において、ＵＥ使用設定を修正したアプリケーションが終了し（または代替として、「データのみ」動作に必要なアプリケーションが終了する）、ＵＥ使用設定を元の値に回復させる。ＵＥ音声設定が「ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」である場合、ＵＥは、ＵＥ音声設定が「ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）」であるＵＥに対する上記の実装のように挙動する。ＵＥ音声設定が「ＩＭＳ  ＰＳ音声のみ（ＩＭＳ  ＰＳ  Ｖｏｉｃｅ  ｏｎｌｙ）」である場合、ＵＥは、ＵＥ音声設定が「ＩＭＳ  ＰＳ音声のみ（ＩＭＳ  ＰＳ  Ｖｏｉｃｅ  ｏｎｌｙ）」であるＵＥに対する上記の実装のように挙動する。これは概して、ブロック１１Ａ−３で示される。
【００８８】
図１１Ｂを参照すると、実装では、ユーザが、ブロック１１Ｂ−１において移動発信音声通話を要求する。移動発信音声通話の要求に応じて、ＵＥは、ブロック１１Ｂ−２において、音声通話を確立できるように、「音声中心（Ｖｏｉｃｅ  Ｃｅｎｔｒｉｃ）」または「データ中心（Ｄａｔａ  Ｃｅｎｔｒｉｃ）」に戻る。次いで、ＵＥは、ＵＥ音声設定に応じて、図１１Ａの実装のように挙動する。これは、ブロック１１Ｂ−３において元のＵＥ使用設定に戻ること、次いで、前述の方法のうちの１つを継続すること（１１Ｂ−４）を伴う。
【００８９】
図１１Ｃを参照すると、実装では、ＵＥは、ブロック１１Ｃ−１において、添付ファイルとしての音声メールを伴うＥメールを受信する。このＥメールを受信すると、ＵＥは、ブロック１１Ｃ−２において、受けられなかった通話を戻すことができるように、「音声中心（Ｖｏｉｃｅ  Ｃｅｎｔｒｉｃ）」または「データ中心（Ｄａｔａ  Ｃｅｎｔｒｉｃ）」に戻る。次いで、ＵＥは、ＵＥ音声設定に応じて、図１１Ａの実装のように挙動する。これは、ブロック１１Ｃ−３において元のＵＥ使用設定に戻ること、次いで、前述の方法のうちの１つを継続すること（１１Ｃ−４）を伴う。
【００９０】
図１１Ｄを参照すると、実装では、ユーザは、ブロック１１Ｄ−１において、音声メールが待機している、または通話を受けられなかったというＳＭＳ指示を受信する。このＳＭＳを受信すると、ＵＥは、音声通話を確立して音声メールを回収するために、および／または受けられなかった通話に戻るために、「音声中心（Ｖｏｉｃｅ  Ｃｅｎｔｒｉｃ）」または「データ中心（Ｄａｔａ  Ｃｅｎｔｒｉｃ）」に戻る。次いで、ＵＥは、ＵＥ音声設定に応じて、図１１Ａの実装のように挙動する。これは、ブロック１１Ｄ−３において元のＵＥ使用設定に戻ること、次いで、前述の方法のうちの１つを継続すること（１１Ｄ−４）を伴う。
【００９１】
図１１Ｅを参照すると、実装では、着信ＩＭＳ音声通信がＩＭＳインフラストラクチャによって受信されたが、ＩＭＳ音声に対するＩＭＳ登録が成功していなかったため、音声通話をＵＥに送達することができず、ＵＥは、ブロック１１Ｅ−１において、そのような受けられなかった通話の通知をＩＭＳから受信する。この通知を受信すると、ＵＥは、ブロック１１Ｅ−２で、受けられなかった通話に戻ることができるように、「音声中心（Ｖｏｉｃｅ  Ｃｅｎｔｒｉｃ）」または「データ中心（Ｄａｔａ  Ｃｅｎｔｒｉｃ）」に戻る。次いで、ＵＥは、ＵＥ音声設定に応じて、図１１Ａの実装のように挙動する。これは、ブロック１１Ｅ−３において元のＵＥ使用設定に戻ること、次いで、前述の方法のうちの１つを継続すること（１１Ｅ−４）を伴う。
【００９２】
上記の全ての実装では、アプリケーションまたはユーザによって修正された場合に、例えば、元のＵＥ使用設定値を記憶し、値を回収することによって、修復を達成することができる。
【００９３】
（別のモバイルデバイス）
ここで図１２を参照すると、本明細書で説明されるＵＥ関連方法を実装し得る、移動通信デバイス７００のブロック図が示されている。モバイルデバイス７００は、例示目的のみで、非常に具体的な詳細を伴って示されていることを理解されたい。
【００９４】
処理デバイス（マイクロプロセッサ７２８）は、キーボード７１４とディスプレイ７２６との間で連結されるものとして概略的に示されている。マイクロプロセッサ７２８は、ユーザによるキーボード７１４上のキーの作動に応じて、ディスプレイ７２６の動作、ならびにモバイルデバイス７００の全体的動作を制御する。
【００９５】
モバイルデバイス７００は、垂直に細長くてもよい、または他のサイズおよび形状を帯びてもよい、筐体を有する（クラムシェル筐体構造を含む）。キーボード７１４は、モード選択キー、またはテキスト入力と電話入力とを切り替えるための他のハードウェアあるいはソフトウェアを含み得る。
【００９６】
マイクロプロセッサ７２８に加えて、モバイルデバイス７００の他の部品が概略的に示されている。これらは、通信サブシステム７７０、短距離通信サブシステム７０２、キーボード７１４およびディスプレイ７２６、一式のＬＥＤ７０４を含む他の入出力デバイスとともに、一式の補助Ｉ／Ｏデバイス７０６、シリアルポート７０８、スピーカ７１１、およびマイクロホン７１２、ならびに、フラッシュメモリ７１６およびランダムアクセスメモリ（ＲＡＭ）７１８を含むメモリデバイス、および種々の他のデバイスサブシステム７２０を含む。モバイルデバイス７００は、モバイルデバイス７００の能動要素に電力供給するようにバッテリ７２１を有し得る。モバイルデバイス７００は、いくつかの実装では、音声およびデータ通信能力を有する、双方向無線周波数（ＲＦ）通信デバイスである。加えて、モバイルデバイス７００は、いくつかの実装では、インターネットを介して他のコンピュータシステムと通信する能力を有する。
【００９７】
マイクロプロセッサ７２８によって実行されるオペレーティングシステムソフトウェアは、いくつかの実装では、フラッシュメモリ７１６等の永続的記憶部に記憶されるが、読み出し専用メモリ（ＲＯＭ）または同様の記憶要素等の他の種類のメモリデバイスに記憶され得る。加えて、システムソフトウェア、特定デバイスアプリケーション、またはそれらの複数部分は、ＲＡＭ７１８等の揮発性記憶部に一時的にロードされ得る。いくつかの実装では、信号配列の不均等性を表す１つ以上のパラメータが、不揮発性メモリまたは揮発性記憶部に記憶される。モバイルデバイス７００によって受信される通信信号も、ＲＡＭ７１８に記憶され得る。
【００９８】
マイクロプロセッサ７２８は、そのオペレーティングシステム機能に加えて、モバイルデバイス７００上でのソフトウェアアプリケーションの実行を可能にする。音声通信モジュール７３０Ａおよびデータ通信モジュール７３０Ｂ等の基本デバイス動作を制御する、所定の一式のソフトウェアアプリケーションが、製造中にモバイルデバイス７００上にインストールされ得る。加えて、個人情報マネージャ（ＰＩＭ）アプリケーションモジュール７３０Ｃも、製造中にモバイルデバイス７００上にインストールされ得る。ＰＩＭアプリケーションは、いくつかの実装では、Ｅメール、カレンダーイベント、音声メール、予約、およびタスクアイテム等のデータアイテムを整理し、管理することが可能である。ＰＩＭアプリケーションはまた、いくつかの実装では、無線ネットワーク７１０を介してデータアイテムを送受信することも可能である。いくつかの実装では、ＰＩＭアプリケーションによって管理されるデータアイテムは、デバイスユーザの対応するデータアイテムが記憶されるか、またはホストコンピュータシステムと関連付けられた状態で、無線ネットワーク７１０を介してシームレスに統合され、同期化され、更新される。同様に、他のソフトウェアモジュール７３０Ｎとして図示される、追加のソフトウェアモジュールが、製造中にインストールされ得る。
【００９９】
データおよび音声通信を含む通信機能は、通信サブシステム７７０を通して、およびおそらく短距離通信サブシステム７０２を通して果たされる。通信サブシステム７７０は、受信機７５０と、伝送機７５２と、受信アンテナ７５４および伝送アンテナ７５６として図示される１つ以上のアンテナとを含む。加えて、通信サブシステム７７０はまた、デジタル信号プロセッサ（ＤＳＰ）７５８等の処理モジュール、および局所発振器（ＬＯ）７６０も含む。通信サブシステム７７０の特定の設計および実装は、モバイルデバイス７００が動作することを目的とする通信ネットワークに依存している。例えば、モバイルデバイス７００の通信サブシステム７７０は、ＭｏｂｉｔｅｘＴＭ、ＤａｔａＴＡＣＴＭ、または汎用パケット無線サービス（Ｇｅｎｅｒａｌ  Ｐａｃｋｅｔ  Ｒａｄｉｏ  Ｓｅｒｖｉｃｅ／ＧＰＲＳ）移動データ通信ネットワークとともに動作するように設計され、また、先進移動電話サービス（Ａｄｖａｎｃｅｄ  Ｍｏｂｉｌｅ  Ｐｈｏｎｅ  Ｓｅｒｖｉｃｅ／ＡＭＰＳ）、時分割多重アクセス（Ｔｉｍｅ  Ｄｉｖｉｓｉｏｎ  Ｍｕｌｔｉｐｌｅ  Ａｃｃｅｓｓ／ＴＤＭＡ）、符号分割多重アクセス（Ｃｏｄｅ  Ｄｉｖｉｓｉｏｎ  Ｍｕｌｔｉｐｌｅ  Ａｃｃｅｓｓ／ＣＤＭＡ）、個人通信サービス（Ｐｅｒｓｏｎａｌ  Ｃｏｍｍｕｎｉｃａｔｉｏｎｓ  Ｓｅｒｖｉｃｅ／ＰＣＳ）、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ／ＧＳＭ（登録商標））等の種々の音声通信ネットワークのうちのいずれかとともに動作するように設計され得る。分離および統合型の両方である、他の種類のデータおよび音声ネットワークも、モバイルデバイス７００とともに利用され得る。ここで検討中の特定のデバイスは、マルチモードモバイルデバイスであり、そのようなものとして、それらは少なくとも２つのＲＡＴを実装するためのハードウェアおよび／またはソフトウェアを含む。より具体的には、特定の実施例では、デバイスによって実装される各ＲＡＴに対するそれぞれの通信サブシステム７７０がある。
【０１００】
ネットワークアクセスは、通信システムの種類に応じて変化し得る。例えば、ＭｏｂｉｔｅｘＴＭおよびＤａｔａＴＡＣＴＭネットワークでは、モバイルデバイスは、各デバイスと関連付けられる一意の個人識別番号（Ｐｅｒｓｏｎａｌ  Ｉｄｅｎｔｉｆｉｃａｔｉｏｎ  Ｎｕｍｂｅｒ／ＰＩＮ）を使用して、ネットワーク上で登録される。しかしながら、ＧＰＲＳネットワークでは、ネットワークアクセスは、典型的には、デバイスの加入者またはユーザと関連付けられる。したがって、ＧＰＲＳデバイスは、典型的には、ＧＰＲＳネットワーク上で動作するために、一般的に加入者識別モジュール（Ｓｕｂｓｃｒｉｂｅｒ  Ｉｄｅｎｔｉｔｙ  Ｍｏｄｕｌｅ／ＳＩＭ）カードと呼ばれる、加入者識別モジュールを有する。
【０１０１】
ネットワーク登録または起動手順が完了すると、モバイルデバイス７００は、通信ネットワーク７１０上で通信信号を送受信し得る。受信アンテナ７５４によって通信ネットワーク７１０から受信される信号は、信号増幅、周波数下方変換、フィルタリング、チャネル選択等を提供し、また、アナログ・デジタル変換も提供し得る、受信機７５０に送られる。受信した信号のアナログ・デジタル変換は、ＤＳＰ７５８が、復調および復号等のより複雑な通信機能を果たすことを可能にする。同様に、ネットワーク７１０に伝送される信号は、ＤＳＰ７５８によって処理（例えば、変調および符号化）され、次いで、デジタル・アナログ変換、周波数上方変換、フィルタリング、増幅、および伝送アンテナ７５６を介した通信ネットワーク７１０（または複数のネットワーク）への伝送のために、伝送機７５２に提供される。
【０１０２】
通信信号の処理に加えて、ＤＳＰ７５８は、受信機７５０および伝送機７５２の制御を提供する。例えば、受信機７５０および伝送機７５２において通信信号に適用される利得は、ＤＳＰ７５８で実装される自動利得制御アルゴリズムを通して、適応的に制御され得る。
【０１０３】
データ通信モードでは、テキストメッセージまたはウェブページダウンロード等の受信した信号は、通信サブシステム７７０によって処理され、マイクロプロセッサ７２８に入力される。次いで、受信した信号はさらに、ディスプレイ７２６への、または代替として何らかの他の補助Ｉ／Ｏデバイス７０６への出力のために、マイクロプロセッサ７２８によって処理される。デバイスユーザはまた、キーボード７１４、および／またはタッチパッド、ロッカースイッチ、サムホール、あるいは何らかの他の種類の入力デバイス等の何らかの他の補助Ｉ／Ｏデバイス７０６を使用して、Ｅメールメッセージ等のデータアイテムを構成し得る。次いで、構成されたデータは、通信サブシステム７７０を介して、通信ネットワーク７１０上で伝送され得る。
【０１０４】
音声通信モードでは、デバイスの全体的動作は、受信した信号がスピーカ７１１に出力され、伝送のための信号がマイクロホン７１２によって生成されることを除いて、データ通信モードと実質的に同様である。音声メッセージ録音サブシステム等の代替的な音声またはオーディオＩ／Ｏサブシステムもまた、モバイルデバイス７００上で実装され得る。加えて、ディスプレイ７１６はまた、例えば、発呼者の識別、音声通話の持続時間、または他の音声通話関連情報を表示するために、音声通信モードで利用され得る。
【０１０５】
短距離通信サブシステム７０２は、モバイルデバイス７００と、必ずしも同様のデバイスである必要はない他の近接システムまたはデバイスとの間で、通信を可能にする。例えば、短距離通信サブシステムは、同様に使用可能なシステムおよびデバイスとの通信を提供するように、赤外線デバイスならびに関連回路および構成要素、またはＢｌｕｅｔｏｏｔｈ（登録商標）通信モジュールを含み得る。
【０１０６】
上記の教示に照らして、本発明の多数の修正および変化例が可能である。したがって、添付の請求項の範囲内で、本発明は、本明細書で具体的に説明される以外に実践され得ることを理解されたい。
【図１Ａ】
2012529247.tif 000009
【図１Ｂ】
2012529247.tif 000010
【図２Ａ】
2012529247.tif 000011
【図２Ｂ】
2012529247.tif 000012
【図３Ａ】
2012529247.tif 000013
【図３Ｂ】
2012529247.tif 000014
【図４Ａ】
2012529247.tif 000015
【図４Ｂ】
2012529247.tif 000016
【図５Ａ】
2012529247.tif 000017
【図５Ｂ】
2012529247.tif 000018
【図６Ａ】
2012529247.tif 000019
【図６Ｂ】
2012529247.tif 000020
【図７Ａ】
2012529247.tif 000021
【図７Ｂ】
2012529247.tif 000022
【図７Ｃ】
2012529247.tif 000023
【図７Ｄ】
2012529247.tif 000024
【図８Ａ】
2012529247.tif 000025
【図８Ｂ】
2012529247.tif 000026
【図９Ａ】
2012529247.tif 000027
【図９Ｂ】
2012529247.tif 000028
【図１０Ａ】
2012529247.tif 000029
【図１０Ｂ】
2012529247.tif 000030
【図１０Ｃ】
2012529247.tif 000031
【図１１Ａ】
2012529247.tif 000032
【図１１Ｂ】
2012529247.tif 000033
【図１１Ｃ】
2012529247.tif 000034
【図１１Ｄ】
2012529247.tif 000035
【図１１Ｅ】
2012529247.tif 000036
【図１２】
2012529247.tif 000037
【手続補正書】
【提出日】平成24年1月23日(2012.1.23)
【手続補正１】
【補正対象書類名】特許請求の範囲
【補正対象項目名】全文
【補正方法】変更
【補正の内容】
【特許請求の範囲】
【請求項１】
進化型パケットシステム（Ｅｖｏｌｖｅｄ  Ｐａｃｋｅｔ  Ｓｙｓｔｅｍ／ＥＰＳ）における音声サービスに関係する第１の指標を伴うユーザ機器（ＵＥ）における方法であって、
第２の指標を伴う非アクセス層（Ｎｏｎ  Ａｃｃｅｓｓ  Ｓｔｒａｔｕｍ／ＮＡＳ）プロトコル応答メッセージを受信するステップと、
前記第１の指標および前記第２の指標に応答して、ＣＳドメインが利用可能ではないという通知をユーザまたは上層のうちの少なくとも１つに送信するステップと
を含む、方法。
【請求項２】
前記ＣＳドメインが利用可能ではないという通知は、音声サービスが現在提供されることが可能ではないという通知をさらに含む、請求項１に記載の方法。
【請求項３】
前記通知を送信するステップは、第３の指標に応答し、前記第３の指標は、ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）指示を含む、請求項２に記載の方法。
【請求項４】
前記音声サービスに関係する第１の指標は、ＵＥ使用設定をさらに含む、請求項１に記載の方法。
【請求項５】
前記第２の指標は、原因値を含む、請求項１に記載の方法。
【請求項６】
前記原因値は、ＣＳドメインが利用可能ではないに設定される、請求項５に記載の方法。
【請求項７】
前記ＮＡＳ応答メッセージは、アタッチ（ＡＴＴＡＣＨ）受理メッセージである、請求項１に記載の方法。
【請求項８】
前記ＮＡＳ応答メッセージは、サービス拒絶（ＳＥＲＶＩＣＥ  ＲＥＪＥＣＴ）メッセージである、請求項１に記載の方法。
【請求項９】
前記ＮＡＳ応答メッセージは、追跡領域更新受理（ＴＲＡＣＫＩＮＧ  ＡＲＥＡ  ＵＰＤＡＴＥ  ＡＣＣＥＰＴ）メッセージである、請求項１に記載の方法。
【請求項１０】
命令を記憶した非一時的コンピュータ可読媒体であって、前記命令は、実行されると、進化型パケットシステム（Ｅｖｏｌｖｅｄ  Ｐａｃｋｅｔ  Ｓｙｓｔｅｍ／ＥＰＳ）における音声サービスに関係する第１の指標を伴うユーザ機器（ＵＥ）に、
第２の指標を伴う非アクセス層（Ｎｏｎ  Ａｃｃｅｓｓ  Ｓｔｒａｔｕｍ／ＮＡＳ）プロトコル応答メッセージを受信するステップと、
前記第１の指標および前記第２の指標に応答して、ＣＳドメインが利用可能ではないという通知をユーザまたは上層のうちの少なくとも１つに送信するステップと
を行わせる、コンピュータ可読媒体。
【請求項１１】
前記ＣＳドメインが利用可能ではないという通知は、音声サービスが現在提供されることが可能ではないという通知をさらに含む、請求項１０に記載の非一時的コンピュータ可読媒体。
【請求項１２】
前記通知を送信するステップは、第３の指標に応答し、前記第３の指標は、ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）指示を含む、請求項１１に記載の非一時的コンピュータ可読媒体。
【請求項１３】
前記音声サービスに関係する第１の指標は、ＵＥ使用設定をさらに含む、請求項１０に記載の非一時的コンピュータ可読媒体。
【請求項１４】
前記第２の指標は、原因値を含む、請求項１０に記載の非一時的コンピュータ可読媒体。
【請求項１５】
前記原因値は、ＣＳドメインが利用可能ではないに設定される、請求項１４に記載の非一時的コンピュータ可読媒体。
【請求項１６】
前記ＮＡＳ応答メッセージは、アタッチ（ＡＴＴＡＣＨ）受理メッセージである、請求項１０に記載の非一時的コンピュータ可読媒体。
【請求項１７】
前記ＮＡＳ応答メッセージは、サービス拒絶（ＳＥＲＶＩＣＥ  ＲＥＪＥＣＴ）メッセージである、請求項１０に記載の非一時的コンピュータ可読媒体。
【請求項１８】
前記ＮＡＳ応答メッセージは、追跡領域更新受理（ＴＲＡＣＫＩＮＧ  ＡＲＥＡ  ＵＰＤＡＴＥ  ＡＣＣＥＰＴ）メッセージである、請求項１０に記載の非一時的コンピュータ可読媒体。
【手続補正２】
【補正対象書類名】明細書
【補正対象項目名】００２２
【補正方法】変更
【補正の内容】
【００２２】
ＵＥがＲＲＣ＿ＣＯＮＮＥＣＴＥＤである間に、ＮＡＳがＧＥＲＡＮまたはＵＴＲＡＮを選択するように指示をＡＳに提供する場合、ＵＥは、「その他」という解放原因を用いて、ＲＲＣ＿ＣＯＮＮＥＣＴＥＤではなくなる場合に以下の措置を行ない得る。
ＭＡＣをリセットする。
Ｔ３２０を除き、作動している全てのタイマを停止する。
ＲＬＣエンティティ、ＭＡＣ構成、および全ての確立されたＲＢに対する関連ＰＤＣＰエンティティの解放を含んで、全ての無線リソースを解放する。
解放原因とともに、上層にＲＲＣアタッチの解放を示す、
ＲＲＣ＿ＣＯＮＮＥＣＴＥＤではなくなることが、ＭｏｂｉｌｉｔｙＦｒｏｍＥＵＴＲＡＣｏｍｍａｎｄメッセージの受信によって誘起されなかった場合、
例えば、３ＧＰＰ  ＴＳ  ３６．３０４で特定されている、ＲＲＣ＿ＣＯＮＮＥＣＴＥＤではなくなる場合に対して定義されるセル選択過程に従って、セル選択を行うことによってＲＲＣ＿ＩＤＬＥになる。
本発明はさらに、例えば、以下を提供する。
（項目１）
進化型パケットシステム（Ｅｖｏｌｖｅｄ  Ｐａｃｋｅｔ  Ｓｙｓｔｅｍ／ＥＰＳ）における音声サービスに関係する第１の指標を伴うユーザ機器（ＵＥ）における方法であって、
第２の指標を伴う非アクセス層（Ｎｏｎ  Ａｃｃｅｓｓ  Ｓｔｒａｔｕｍ／ＮＡＳ）プロトコル応答メッセージを受信するステップと、
前記第１の指標または前記第２の指標のうちの少なくとも１つに応答して、音声サービスが現在提供されることが可能ではないという通知を送信するステップと
を含む、方法。
（項目２）
前記ＮＡＳプロトコル応答メッセージは、ＮＡＳ登録応答メッセージである、項目１に記載の方法。
（項目３）
前記第１の指標または前記第２の指標の一方または両方は、音声サービス指標（ＶＳＩ）である、項目１に記載の方法。
（項目４）
前記ＶＳＩは、
ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）指示、
ＩＭＳボイスオーバーＰＳセッション非対応（ＩＭＳ  Ｖｏｉｃｅ  ｏｖｅｒ  ＰＳ  ｓｅｓｓｉｏｎ  ｎｏｔ  ｓｕｐｐｏｒｔｅｄ）指示、
音声中心（Ｖｏｉｃｅ  Ｃｅｎｔｒｉｃ）、
データ中心（Ｄａｔａ  Ｃｅｎｔｒｉｃ）、
ＣＳ音声のみ（ＣＳ  Ｖｏｉｃｅ  Ｏｎｌｙ）、
ＩＭＳ  ＰＳ音声のみ（ＩＭＳ  ＰＳ  Ｖｏｉｃｅ  Ｏｎｌｙ）、
ＣＳ音声優先、ＩＭＳ音声二次的（ＣＳ  Ｖｏｉｃｅ  Ｐｒｅｆｅｒｒｅｄ，  ＩＭＳ  Ｖｏｉｃｅ  Ｓｅｃｏｎｄａｒｙ）、または
ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）
のうちの少なくとも１つに設定される、項目３に記載の方法。
（項目５）
前記ＶＳＩは、
ボイスオーバーＩＰマルチメディアサブシステム（Ｖｏｉｃｅ  ｏｖｅｒ  ＩＰ  Ｍｕｌｔｉｍｅｄｉａ  Ｓｕｂｓｙｓｔｅｍ／ＩＭＳ  ＶｏＰＳ）指標と、
ＵＥ使用設定と、
ＵＥ音声設定と
のうちの１つ以上である、項目３に記載の方法。
（項目６）
前記第２の指標は、原因値または失敗指示のうちの少なくとも１つである、項目１に記載の方法。
（項目７）
前記原因値または前記失敗指示のうちの少なくとも１つは、
回路交換（ＣＳ）またはパケット交換（ＰＳ）サービスに対してＵＥを登録できなかったこと、または
ＣＳドメインが利用可能ではないこと
のうちの少なくとも１つに設定される、項目６に記載の方法。
（項目８）
前記通知を送信するステップは、前記ＵＥによって行われ、前記通知は、ユーザまたは上層のうちの少なくとも１つに送信される、項目１に記載の方法。
（項目９）
前記ＮＡＳ登録応答メッセージは、
ＥＰＳアタッチ手順への応答、
追跡領域更新（Ｔｒａｃｋｉｎｇ  Ａｒｅａ  Ｕｐｄａｔｅ）応答、
ルーティング領域更新（Ｒｏｕｔｉｎｇ  Ａｒｅａ  Ｕｐｄａｔｅ）応答、
アタッチ（ＡＴＴＡＣＨ）受理メッセージ、
サービス拒絶（ＳＥＲＶＩＣＥ  ＲＥＪＥＣＴ）メッセージ、
ルーティング領域更新受理（ＲＯＵＴＩＮＧ  ＡＲＥＡ  ＵＰＤＡＴＥ  ＡＣＣＥＰＴ）メッセージ、または
追跡領域更新受理（ＴＲＡＣＫＩＮＧ  ＡＲＥＡ  ＵＰＤＡＴＥ  ＡＣＣＥＰＴ）メッセージ
のうちの少なくとも１つである、項目１に記載の方法。
（項目１０）
前記通知を送信するステップは、前記第１の指標および前記第２の指標の両方に応答する、項目１に記載の方法。
（項目１１）
進化型パケットシステム（Ｅｖｏｌｖｅｄ  Ｐａｃｋｅｔ  Ｓｙｓｔｅｍ／ＥＰＳ）における音声サービスに関係する第１の指標を伴うユーザ機器（ＵＥ）における方法であって、
第２の指標を伴う非アクセス層（Ｎｏｎ  Ａｃｃｅｓｓ  Ｓｔｒａｔｕｍ／ＮＡＳ）プロトコル応答メッセージを受信するステップと、
前記第１の指標または前記第２の指標のうちの少なくとも１つに応答して、音声サービスが現在提供されることが可能ではないという通知を送信するステップであって、前記音声サービスが現在提供されることが可能ではないという前記通知は、ＣＳドメインが利用可能ではないという通知を含む、ステップと
を含む、方法。
（項目１２）
前記ＮＡＳプロトコル応答メッセージは、ＮＡＳ登録応答メッセージである、項目１１に記載の方法。
（項目１３）
前記第１の指標または前記第２の指標の一方または両方は、音声サービス指標（ＶＳＩ）である、項目１１に記載の方法。
（項目１４）
前記ＶＳＩは、
ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）指示、
ＩＭＳボイスオーバーＰＳセッション非対応（ＩＭＳ  Ｖｏｉｃｅ  ｏｖｅｒ  ＰＳ  ｓｅｓｓｉｏｎ  ｎｏｔ  ｓｕｐｐｏｒｔｅｄ）指示、
音声中心（Ｖｏｉｃｅ  Ｃｅｎｔｒｉｃ）、
データ中心（Ｄａｔａ  Ｃｅｎｔｒｉｃ）、
ＣＳ音声のみ（ＣＳ  Ｖｏｉｃｅ  Ｏｎｌｙ）、
ＩＭＳ  ＰＳ音声のみ（ＩＭＳ  ＰＳ  Ｖｏｉｃｅ  Ｏｎｌｙ）、
ＣＳ音声優先、ＩＭＳ音声二次的（ＣＳ  Ｖｏｉｃｅ  Ｐｒｅｆｅｒｒｅｄ，  ＩＭＳ  Ｖｏｉｃｅ  Ｓｅｃｏｎｄａｒｙ）、または
ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）
のうちの少なくとも１つに設定される、項目１３に記載の方法。
（項目１５）
前記ＶＳＩは、
ボイスオーバーＩＰマルチメディアサブシステム（Ｖｏｉｃｅ  ｏｖｅｒ  ＩＰ  Ｍｕｌｔｉｍｅｄｉａ  Ｓｕｂｓｙｓｔｅｍ／ＩＭＳ  ＶｏＰＳ）指標と、
ＵＥ使用設定と、
ＵＥ音声設定と
のうちの１つ以上である、項目１３に記載の方法。
（項目１６）
前記第２の指標は、原因値または失敗指示のうちの少なくとも１つである、項目１１に記載の方法。
（項目１７）
前記原因値または前記失敗指示のうちの少なくとも１つは、
回路交換（ＣＳ）またはパケット交換（ＰＳ）サービスに対してＵＥを登録できなかったこと、または
ＣＳドメインが利用可能ではないこと
のうちの少なくとも１つに設定される、項目１６に記載の方法。
（項目１８）
前記通知を送信するステップは、前記ＵＥによって行われ、前記通知は、ユーザまたは上層のうちの少なくとも１つに送信される、項目１１に記載の方法。
（項目１９）
前記ＮＡＳ登録応答メッセージは、
ＥＰＳアタッチ手順への応答、
追跡領域更新（Ｔｒａｃｋｉｎｇ  Ａｒｅａ  Ｕｐｄａｔｅ）応答、
ルーティング領域更新（Ｒｏｕｔｉｎｇ  Ａｒｅａ  Ｕｐｄａｔｅ）応答、
アタッチ（ＡＴＴＡＣＨ）受理メッセージ、
サービス拒絶（ＳＥＲＶＩＣＥ  ＲＥＪＥＣＴ）メッセージ、
ルーティング領域更新受理（ＲＯＵＴＩＮＧ  ＡＲＥＡ  ＵＰＤＡＴＥ  ＡＣＣＥＰＴ）メッセージ、または
追跡領域更新受理（ＴＲＡＣＫＩＮＧ  ＡＲＥＡ  ＵＰＤＡＴＥ  ＡＣＣＥＰＴ）メッセージ、
のうちの少なくとも１つである、項目１１に記載の方法。
（項目２０）
前記通知を送信するステップは、前記第１の指標および前記第２の指標の両方に応答する、項目１１に記載の方法。
（項目２１）
進化型パケットシステム（Ｅｖｏｌｖｅｄ  Ｐａｃｋｅｔ  Ｓｙｓｔｅｍ／ＥＰＳ）における音声サービスに関係する第１の指標を伴うユーザ機器（ＵＥ）における方法であって、
第２の指標を伴う非アクセス層（Ｎｏｎ  Ａｃｃｅｓｓ  Ｓｔｒａｔｕｍ／ＮＡＳ）プロトコル応答メッセージを受信するステップと、
前記第１の指標または前記第２の指標のうちの少なくとも１つに応答して、音声サービスが現在提供されることが可能ではないという通知を送信するステップと
を含む、方法。
（項目２２）
前記ＮＡＳプロトコル応答メッセージは、ＮＡＳ登録応答メッセージである、項目２１に記載の方法。
（項目２３）
前記第１の指標または前記第２の指標の一方または両方は、音声サービス指標（ＶＳＩ）である、項目２１に記載の方法。
（項目２４）
前記ＶＳＩは、
ＩＭＳボイスオーバーＰＳセッション対応（ＩＭＳ  Ｖｏｉｃｅ  ｏｖｅｒ  ＰＳ  ｓｅｓｓｉｏｎ  ｓｕｐｐｏｒｔｅｄ）指示、
ＩＭＳボイスオーバーＰＳセッション非対応（ＩＭＳ  Ｖｏｉｃｅ  ｏｖｅｒ  ＰＳ  ｓｅｓｓｉｏｎ  ｎｏｔ  ｓｕｐｐｏｒｔｅｄ）指示、
音声中心（Ｖｏｉｃｅ  Ｃｅｎｔｒｉｃ）、
データ中心（Ｄａｔａ  Ｃｅｎｔｒｉｃ）、
ＣＳ音声のみ（ＣＳ  Ｖｏｉｃｅ  Ｏｎｌｙ）、
ＩＭＳ  ＰＳ音声のみ（ＩＭＳ  ＰＳ  Ｖｏｉｃｅ  Ｏｎｌｙ）、
ＣＳ音声優先、ＩＭＳ音声二次的（ＣＳ  Ｖｏｉｃｅ  Ｐｒｅｆｅｒｒｅｄ，  ＩＭＳ  Ｖｏｉｃｅ  Ｓｅｃｏｎｄａｒｙ）、または
ＩＭＳ音声優先、ＣＳ音声二次的（ＩＭＳ  Ｖｏｉｃｅ  Ｐｒｅｆｅｒｒｅｄ，  ＣＳ  Ｖｏｉｃｅ  Ｓｅｃｏｎｄａｒｙ）
のうちの少なくとも１つに設定される、項目２３に記載の方法。
（項目２５）
前記ＶＳＩは、
ボイスオーバーＩＰマルチメディアサブシステム（Ｖｏｉｃｅ  ｏｖｅｒ  ＩＰ  Ｍｕｌｔｉｍｅｄｉａ  Ｓｕｂｓｙｓｔｅｍ／ＩＭＳ  ＶｏＰＳ）指標と、
ＵＥ使用設定と、
ＵＥ音声設定と
のうちの１つ以上である、項目２３に記載の方法。
（項目２６）
前記第２の指標は、原因値または失敗指示のうちの少なくとも１つである、項目２１に記載の方法。
（項目２７）
前記原因値または前記失敗指示のうちの少なくとも１つは、
回路交換（ＣＳ）またはパケット交換（ＰＳ）サービスに対してＵＥを登録できなかったこと、または
ＣＳドメインが利用可能ではないこと
のうちの少なくとも１つに設定される、項目２６に記載の方法。
（項目２８）
前記通知を送信するステップは、前記ＵＥによって行われ、前記通知は、ユーザまたは上層のうちの少なくとも１つに送信される、項目２１に記載の方法。
（項目２９）
前記ＮＡＳ登録応答メッセージは、
ＥＰＳアタッチ手順への応答、
追跡領域更新（Ｔｒａｃｋｉｎｇ  Ａｒｅａ  Ｕｐｄａｔｅ）応答、
ルーティング領域更新（Ｒｏｕｔｉｎｇ  Ａｒｅａ  Ｕｐｄａｔｅ）応答、
アタッチ（ＡＴＴＡＣＨ）受理メッセージ、
サービス拒絶（ＳＥＲＶＩＣＥ  ＲＥＪＥＣＴ）メッセージ、
ルーティング領域更新受理（ＲＯＵＴＩＮＧ  ＡＲＥＡ  ＵＰＤＡＴＥ  ＡＣＣＥＰＴ）メッセージ、または
追跡領域更新受理（ＴＲＡＣＫＩＮＧ  ＡＲＥＡ  ＵＰＤＡＴＥ  ＡＣＣＥＰＴ）メッセージ、
のうちの少なくとも１つである、項目２１に記載の方法。
（項目３０）
前記通知を送信するステップは、前記第１の指標および前記第２の指標の両方に応答する、項目２１に記載の方法。
【国際調査報告】
2012529247.tif 000038
2012529247.tif 000039